(57)【要約】【課題】印刷される一覧画像の画質を向上させることが可能な技術を提供する。【解決手段】印刷制御装置は、一覧印刷制御部Ｕ３と一覧用色変換テーブル生成部Ｕ２を備え、入力色空間（ＲＧＢ色空間）の第一格子点ＧＤ１に印刷用の色材の使用量（Ci，Mi，Yi，Ki，Lki，LLki）を対応付けた色変換テーブル３１０を参照して入力画像Ｄ１を変換し、変換後の出力画像Ｄ５を印刷する制御を行う。一覧印刷制御部Ｕ３は、第一格子点ＧＤ１とは異なる配置の第二格子点ＧＤ２を有する一覧用色変換テーブル３２０を参照して、色変換テーブル３１０を調整するための入力画像Ｄ１に基づいた一覧画像Ｄ３を印刷する制御を行う。一覧用色変換テーブル生成部Ｕ２は、入力色空間のグレー軸において色変換テーブル３１０に規定された色材の使用量が最大となる位置（７２０，７２１，７２２）には少なくとも第二格子点ＧＤ２を配置して一覧用色変換テーブル３２０を生成する。【選択図】図１
2016178471.tif 000002
【特許請求の範囲】
【請求項１】
入力色空間の第一格子点に印刷用の色材の使用量を対応付けた色変換テーブルを参照して入力画像を変換し、変換後の出力画像を印刷する制御を行う印刷制御装置であって、
前記第一格子点とは異なる配置の第二格子点を有する一覧用色変換テーブルを参照して、前記色変換テーブルを調整するための前記入力画像に基づいた一覧画像を印刷する制御を行う一覧印刷制御部と、
前記入力色空間のグレー軸において前記色変換テーブルに規定された色材の使用量が最大となる位置には少なくとも前記第二格子点を配置して前記一覧用色変換テーブルを生成する一覧用色変換テーブル生成部と、を備える、印刷制御装置。
【請求項２】
前記印刷用の色材に少なくとも第一及び第二の色材が含まれ、
前記一覧用色変換テーブル生成部は、前記入力色空間のグレー軸において前記色変換テーブルに規定された前記第一の色材の使用量が最大となる位置、及び、前記第二の色材の使用量が最大となる位置には少なくとも前記第二格子点を配置して前記一覧用色変換テーブルを生成する、請求項１に記載の印刷制御装置。
【請求項３】
前記出力画像の明るさを調整するための明るさ調整情報を取得し、明るさ調整前の前記色変換テーブルのデータを前記取得した明るさ調整情報に基づいて補正する明るさ調整部をさらに備え、
前記一覧用色変換テーブル生成部は、前記明るさ調整部による補正をした前記色変換テーブルに基づいて前記一覧用色変換テーブルを生成する、請求項１又は請求項２に記載の印刷制御装置。
【請求項４】
前記明るさ調整情報は、前記出力画像の明度を調整するための明度調整情報と、前記出力画像のコントラストを調整するためのコントラスト調整情報と、の少なくとも一方を含む、請求項３に記載の印刷制御装置。
【請求項５】
前記一覧用色変換テーブル生成部は、前記入力色空間のグレー軸において前記第一格子点の入力座標値を表すＸ軸と前記第一格子点に対応付けられた色材の使用量を表すＹ軸とを含むＸ−Ｙ平面において、前記入力色空間のグレー軸にある前記第二格子点をＸ座標の順に並べたときに該第二格子点で区切られるＸ軸上の各区間において前記第二格子点に対応するＸ−Ｙ位置同士を結ぶ線分と、前記入力色空間のグレー軸にある前記第一格子点に対応するＸ−Ｙ位置のうち前記線分と同じ区間において前記線分との距離が最大である第一格子点に対応するＸ−Ｙ位置と、の距離が所定の距離内となるように前記第二格子点を配置して前記一覧用色変換テーブルを生成する、請求項１〜請求項４のいずれか一項に記載の印刷制御装置。
【請求項６】
前記入力色空間を構成する複数の成分は、明度に対応した明度成分と、調整される色味に対応した色味成分と、を含み、
前記一覧印刷制御部は、前記入力画像に基づいて前記色味成分が異なる画像の一覧である元一覧画像を生成し、前記一覧用色変換テーブルを参照して前記元一覧画像を変換し、変換後の一覧画像を印刷する制御を行う、請求項１〜請求項５のいずれか一項に記載の印刷制御装置。
【請求項７】
前記入力色空間を構成する複数の成分は、明度に対応した明度成分と、調整される色味に対応した色味成分と、を含み、
前記一覧用色変換テーブル生成部は、前記色変換テーブルにおける前記明度成分と前記色材の使用量との対応関係に基づいて前記一覧用色変換テーブルにおける前記明度成分と前記色材の使用量との対応関係を規定する、請求項１〜請求項６のいずれか一項に記載の印刷制御装置。
【請求項８】
入力色空間の第一格子点に印刷用の色材の使用量を対応付けた色変換テーブルを参照して入力画像を変換し、変換後の出力画像を印刷する制御を行う印刷制御方法であって、
前記第一格子点とは異なる配置の第二格子点を有する一覧用色変換テーブルを参照して、前記色変換テーブルを調整するための前記入力画像に基づいた一覧画像を印刷する制御を行う一覧印刷制御工程と、
前記入力色空間のグレー軸において前記色変換テーブルに規定された色材の使用量が最大となる位置には少なくとも前記第二格子点を配置して前記一覧用色変換テーブルを生成する一覧用色変換テーブル生成工程と、を含む、印刷制御方法。
【発明の詳細な説明】
【技術分野】
【０００１】
本発明は、色変換テーブルを参照する印刷制御装置、及び、印刷制御方法に関する。
【背景技術】
【０００２】
プリンターといった画像形成装置やパーソナルコンピューターといったホスト装置等では、色変換テーブルを参照して入力画像を色変換し、色変換後の画像を印刷する制御を行っている。色変換テーブルは、例えば、モニターに依存するＲＧＢ（赤、緑、青）色空間の入力座標値と、プリンターで使用されるＣＭＹＫ（シアン、マゼンタ、イエロー、ブラック）のインク（色材）の使用量と、の対応関係が規定されている。色変換テーブルは、ＲＧＢの入力座標値が同じグレー画像の色変換にも使用される。モノクロ画像の微妙な色味を確認するため、色味を微妙に変えたモノクロ画像をテスト印刷することが考えられる。
【０００３】
特許文献１に開示される画像形成システムは、モノクロ画像を印刷するものではないが、複数のテスト色変換テーブルの設定を受け付け、各テスト色変換テーブルを適用して複数のテスト出力画像を印刷し、選定されたテスト色変換テーブルを正規版の色変換テーブルとして使用する。従って、テスト色変換テーブルと正規版の色変換テーブルとは、格子点数が同じであり、格納される出力値の階調数が同じである。
【先行技術文献】
【特許文献】
【０００４】
【特許文献１】特開２０１２−９１８号公報
【発明の概要】
【発明が解決しようとする課題】
【０００５】
モノクロ画像を高画質化するためには、格子点数や出力階調数が多い色変換テーブルを用意する必要がある。また、印刷モード、例えば、被印刷物の種類に応じてインクの使用量を変える場合、印刷モード毎に色変換テーブルを用意する必要がある。一方、色味を微妙に異ならせたテスト画像を一覧印刷する場合、格子点数や出力階調数が多い色変換テーブルをテスト画像毎に用意しようとすると、一覧印刷の制御処理に非常に多くのメモリーサイズが必要となる。メモリーサイズが大きくならないように一覧印刷用の色変換テーブルの格子点数や出力階調数を少なくすることは、印刷される一覧画像の画質の低下に繋がる。
【０００６】
尚、上記のような問題は、ＲＧＢ色空間の入力画像をＣＭＹＫ色空間の画像に色変換して印刷する技術に限らず、種々の技術についても同様に存在する。
【０００７】
以上を鑑み、本発明の目的の一つは、印刷される一覧画像の画質を向上させることが可能な技術を提供することにある。
【課題を解決するための手段】
【０００８】
上記目的の一つを達成するため、本発明は、入力色空間の第一格子点に印刷用の色材の使用量を対応付けた色変換テーブルを参照して入力画像を変換し、変換後の出力画像を印刷する制御を行う印刷制御装置であって、
前記第一格子点とは異なる配置の第二格子点を有する一覧用色変換テーブルを参照して、前記色変換テーブルを調整するための前記入力画像に基づいた一覧画像を印刷する制御を行う一覧印刷制御部と、
前記入力色空間のグレー軸において前記色変換テーブルに規定された色材の使用量が最大となる位置には少なくとも前記第二格子点を配置して前記一覧用色変換テーブルを生成する一覧用色変換テーブル生成部と、を備える、態様を有する。
【０００９】
上述した態様は、印刷される一覧画像の画質を向上させることが可能な技術を提供することができる。
【００１０】
さらに、本発明は、画像形成装置、印刷制御装置を含む印刷装置といった複合装置、上述した各部に対応した工程を含む印刷制御方法、画像形成方法、印刷制御方法を含む複合装置用の処理方法、上述した各部に対応した機能をコンピューターに実現させる印刷制御プログラム、画像形成プログラム、印刷制御プログラムを含む複合装置用の処理プログラム、これらのプログラムを記録したコンピューター読み取り可能な媒体、色変換テーブル、等に適用可能である。前述の装置は、分散した複数の部分で構成されてもよい。
【図面の簡単な説明】
【００１１】
【図１】入力画像に基づいた一覧画像の印刷物を形成した後に本番の印刷画像を形成する例を模式的に示す図。
【図２】印刷装置の構成例を模式的に示す図。
【図３】ホスト装置の構成例を模式的に示す図。
【図４】明るさ調整情報、元色変換テーブル、及び、中間色変換テーブルの構造例を模式的に示す図。
【図５】（ａ）は元色変換テーブルにおける入力座標値と色材の使用量との対応関係の例を模式的に示す図、（ｂ）は中間色変換テーブルにおける入力座標値と色材の使用量との対応関係の例を模式的に示す図。
【図６】明るさ調整情報に基づいて元色変換テーブルを補正する例を模式的に示す図。
【図７】係数テーブル、中間色変換テーブル、及び、最終色変換テーブルの構造例を模式的に示す図。
【図８】一覧画像を有する印刷物の例を模式的に示す図。
【図９】一覧用色変換テーブルの構造例を模式的に示す図。
【図１０】Ｇ及びＢの入力座標値に色味成分を対応付ける例を模式的に示す図。
【図１１】ホスト装置が行う印刷制御処理の例を示すフローチャート。
【図１２】格子点決定処理の例を示すフローチャート。
【図１３】第二格子点の位置を動的に決定する例を模式的に示す図。
【図１４】第二格子点の位置を動的に決定する例を模式的に示す図。
【図１５】第二格子点の位置を動的に決定する例を模式的に示す図。
【図１６】表示装置で表示される入力画面の例を模式的に示す図。
【図１７】印刷装置が行う印刷制御処理の例を示すフローチャート。
【図１８】操作パネルの例を模式的に示す図。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本技術の概要：
まず、図１〜１８を参照して本技術の概要を説明する。
【００１４】
図２，３等に例示される印刷制御装置Ｕ０は、入力色空間（例えばＲＧＢ色空間）の第一格子点ＧＤ１に印刷用の色材（例えばインク６６）の使用量（例えばＣＭＹＫＬｋＬＬｋの階調値Ｃｉ，Ｍｉ，Ｙｉ，Ｋｉ，Ｌｋｉ，ＬＬｋｉ）を対応付けた色変換テーブル３１０を参照して入力画像Ｄ１を変換し、変換後の出力画像Ｄ５を印刷する制御を行う。ここで、ＬｋはＫよりも低濃度の無彩色であるライトブラックであり、ＬＬｋはＬｋよりも低濃度の無彩色であるライトライトブラックである。印刷制御装置Ｕ０は、一覧印刷制御部Ｕ３、一覧用色変換テーブル生成部Ｕ２、を備える。前記一覧印刷制御部Ｕ３は、前記第一格子点ＧＤ１とは異なる配置の第二格子点ＧＤ２を有する一覧用色変換テーブル３２０を参照して、前記色変換テーブル３１０を調整するための前記入力画像Ｄ１に基づいた一覧画像Ｄ３を印刷する制御を行う。前記一覧用色変換テーブル生成部Ｕ２は、前記入力色空間のグレー軸（例えば入力座標値Ｒ，Ｇ，ＢがＲ＝Ｇ＝Ｂである線状の部分）において前記色変換テーブル３１０に規定された色材の使用量が最大となる位置（例えば図１３に示す位置７２０，７２１，７２２）には少なくとも前記第二格子点ＧＤ２を配置して前記一覧用色変換テーブル３２０を生成する。
【００１５】
入力色空間のグレー軸において色変換テーブルに規定された色材の使用量が最大となる位置に対して一覧用色変換テーブルの第二格子点が配置されない場合、本番印刷用の色変換テーブルに規定された最大の色材使用量が一覧用色変換テーブルに規定されないことになる。この場合、一覧印刷画像（印刷される一覧画像）と本番印刷画像（印刷される出力画像）とに色の差が生じ易い。本技術は、入力色空間のグレー軸において色変換テーブル３１０に規定された色材の使用量が最大となる位置には少なくとも第二格子点ＧＤ２が配置された一覧用色変換テーブル３２０が参照されて色変換テーブル調整用の一覧画像Ｄ３が印刷される。本番印刷用の色変換テーブルに規定された最大の色材使用量が一覧用色変換テーブルに規定されるので、本技術は、一覧印刷画像（Ｄ３）と本番印刷画像（Ｄ５）とに色の差が生じ難くなり、印刷される一覧画像の画質を向上させることが可能となる。
尚、入力色空間のグレー軸は、例えば、ＲＧＢ色空間の場合には座標値Ｒと座標値Ｇと座標値Ｂが同じ（入力色空間の各軸の座標値が同じ）である線状の部分、ＣＭＹ色空間の場合には座標値Ｃと座標値Ｍと座標値Ｙが同じである線状の部分、を意味し、厳密な無彩色（例えばＣＩＥ（国際照明委員会）Ｌ*ａ*ｂ*色空間におけるａ*＝ｂ*＝０）になるとは限らない。
本技術は、図１５等に示すＬｋインク及びＬＬｋインクのようにグレー軸の最小位置（例えば入力座標値０）及び最大位置（例えば入力座標値２５５）とは異なる位置（最小位置と最大位置との間）に使用量が最大の位置がある色材について使用量が最大の位置に第二格子点を配置すると好適である。
色変換テーブル３１０の概念には、元色変換テーブル３１１、中間色変換テーブル３１２、及び、最終色変換テーブル３１３が含まれる。
【００１６】
ところで、前記印刷用の色材には、少なくとも第一の色材（例えば図１３に示すＬｋインク）、及び、第二の色材（例えば図１３に示すＬＬｋインク）が含まれてもよい。図１３等に例示するように、前記一覧用色変換テーブル生成部Ｕ２は、前記入力色空間のグレー軸において前記色変換テーブル３１０に規定された前記第一の色材の使用量が最大となる位置（例えば図１３に示す位置７２１）、及び、前記第二の色材の使用量が最大となる位置（例えば図１３に示す位置７２２）には少なくとも前記第二格子点ＧＤ２を配置して前記一覧用色変換テーブル３２０を生成してもよい。本態様は、印刷用の色材に第一及び第二の色材が含まれる場合に一覧印刷画像と本番印刷画像とに色の差が生じ難くなり、印刷される一覧画像の画質をさらに向上させることが可能となる。
尚、印刷用の色材に３種類以上の色材（例えばＣＭＹＫＬｋＬＬｋインク）が含まれる場合、３種類以上の色材の中から使用量が最大となる位置に第二格子点ＧＤ２が配置される一の色材を第一の色材に当てはめ、前記３種類以上の色材のうち前記第一の色材を除く２種類以上の色材の中から使用量が最大となる位置に第二格子点ＧＤ２が配置される一の色材を第二の色材に当てはめることができる。
【００１７】
図４等に例示するように、本印刷制御装置Ｕ０は、前記出力画像Ｄ５の明るさを調整するための明るさ調整情報８１０を取得し、明るさ調整前の前記色変換テーブル３１１のデータを前記取得した明るさ調整情報８１０に基づいて補正する明るさ調整部Ｕ１をさらに備えてもよい。前記一覧用色変換テーブル生成部Ｕ２は、前記明るさ調整部Ｕ１による補正をした前記色変換テーブル３１２に基づいて前記一覧用色変換テーブル３２０を生成してもよい。本態様は、出力画像の明るさを調整するために色変換テーブルを補正する場合に一覧印刷画像と本番印刷画像とに色の差が生じ難くなり、印刷される一覧画像の画質をさらに向上させることが可能となる。
【００１８】
前記明るさ調整情報８１０は、前記出力画像Ｄ５の明度を調整するための明度調整情報（例えば図４に示す明度調整情報８１２）と、前記出力画像Ｄ５のコントラストを調整するためのコントラスト調整情報（例えば図４に示すコントラスト調整情報８１３，８１４）と、の少なくとも一方を含んでもよい。この態様は、出力画像の明度とコントラストの少なくとも一方を調整するために色変換テーブルを補正する場合に一覧印刷画像と本番印刷画像とに色の差が生じ難くなり、印刷される一覧画像の画質をさらに向上させることが可能となる。
【００１９】
図１２〜１５に例示するように、前記一覧用色変換テーブル生成部Ｕ２は、前記入力色空間のグレー軸において前記第一格子点ＧＤ１の入力座標値を表すＸ軸と前記第一格子点ＧＤ１に対応付けられた色材の使用量を表すＹ軸とを含むＸ−Ｙ平面において、前記入力色空間のグレー軸にある前記第二格子点ＧＤ２をＸ座標の順に並べたときに該第二格子点ＧＤ２で区切られるＸ軸上の各区間７３０において第二格子点ＧＤ２に対応するＸ−Ｙ位置同士を結ぶ線分７４０と、前記入力色空間のグレー軸にある前記第一格子点ＧＤ１に対応するＸ−Ｙ位置のうち前記線分７４０と同じ区間において前記線分７４０との距離ｄが最大である第一格子点ＧＤ１に対応するＸ−Ｙ位置と、の距離ｄmaxが所定の距離Ｔｄ内となるように前記第二格子点ＧＤ２を配置して前記一覧用色変換テーブル３２０を生成してもよい。ここで、格子点に対応するＸ−Ｙ位置は、格子点の入力座標値をＸ値とし、格子点の出力座標値（色材の使用量に対応）をＹ値としたときの点（Ｘ，Ｙ）の位置を意味する。
上記態様は、第二格子点ＧＤ２のＸ−Ｙ位置同士を結ぶ線分７４０と該線分７４０から同じ区間において最も離れた第一格子点ＧＤ１に対応するＸ−Ｙ位置との距離ｄmaxが所定の距離Ｔｄ内となるように第二格子点ＧＤ２が配置された一覧用色変換テーブル３２０が参照されて色変換テーブル調整用の一覧画像Ｄ３が印刷されるので、一覧印刷画像と本番印刷画像とに色の差が生じ難くなり、印刷される一覧画像の画質をさらに向上させることが可能となる。
【００２０】
図９に例示するように、前記入力色空間を構成する複数の成分は、明度に対応した明度成分３２１と、調整される色味に対応した色味成分３２２と、を含んでもよい。前記一覧印刷制御部Ｕ３は、前記入力画像Ｄ１に基づいて前記色味成分３２２が異なる画像Ｄ２ａの一覧である元一覧画像Ｄ２を生成し、前記一覧用色変換テーブル３２０を参照して前記元一覧画像Ｄ２を変換し、変換後の一覧画像Ｄ３を印刷する制御を行ってもよい。本態様は、一覧用色変換テーブル３２０を参照して元一覧画像Ｄ２を一括して変換することができるので、一覧印刷の制御処理を高速化させることが可能となる。
【００２１】
前記一覧用色変換テーブル生成部Ｕ２は、前記色変換テーブル３１０における前記明度成分３２１と前記色材の使用量との対応関係に基づいて前記一覧用色変換テーブル３２０における前記明度成分３２１と前記色材の使用量との対応関係を規定してもよい。この態様は、モノクロの一覧画像の画質を向上させることが可能となる。
【００２２】
尚、本技術は、入力色空間の第一格子点ＧＤ１に印刷用の色材の使用量を対応付けた色変換テーブル３１０を参照して入力画像Ｄ１から出力画像Ｄ５を形成する画像形成装置であって、
前記第一格子点ＧＤ１とは異なる配置の第二格子点ＧＤ２を有する一覧用色変換テーブル３２０を参照して、前記色変換テーブル３１０を調整するための前記入力画像Ｄ１に基づいた一覧画像Ｄ３を形成する一覧画像形成部Ｕ４と、
前記入力色空間のグレー軸において前記色変換テーブル３１０に規定された色材の使用量が最大となる位置には少なくとも前記第二格子点ＧＤ２を配置して前記一覧用色変換テーブル３２０を生成する一覧用色変換テーブル生成部Ｕ２と、を備える、態様も有する。
【００２３】
また、本技術は、入力色空間の第一格子点ＧＤ１に印刷用の色材の使用量を対応付けた色変換テーブル３１０を参照して入力画像Ｄ１から出力画像Ｄ５を形成する画像形成方法であって、
前記第一格子点ＧＤ１とは異なる配置の第二格子点ＧＤ２を有する一覧用色変換テーブル３２０を参照して、前記色変換テーブル３１０を調整するための前記入力画像Ｄ１に基づいた一覧画像Ｄ３を形成する一覧画像形成工程と、
前記入力色空間のグレー軸において前記色変換テーブル３１０に規定された色材の使用量が最大となる位置には少なくとも前記第二格子点ＧＤ２を配置して前記一覧用色変換テーブル３２０を生成する一覧用色変換テーブル生成工程と、を含む、態様も有する。
【００２４】
これらの態様は、入力色空間のグレー軸において色変換テーブル３１０に規定された色材の使用量が最大となる位置には少なくとも第二格子点ＧＤ２が配置された一覧用色変換テーブル３２０が参照されて色変換テーブル調整用の一覧画像Ｄ３が形成される。本番用の色変換テーブルに規定された最大の色材使用量が一覧用色変換テーブルに規定されるので、これらの態様は、形成される一覧画像（Ｄ３）と出力画像（Ｄ５）とに色の差が生じ難くなり、形成される一覧画像の画質を向上させることが可能となる。
ここで、一覧画像を形成することには、一覧画像を印刷すること、一覧画像を表示装置に表示すること、等が含まれる。むろん、出力画像を形成することには、出力画像を印刷すること、出力画像を表示装置に表示すること、等が含まれる。
【００２５】
（２）印刷制御装置及び画像形成装置を含む印刷システムの構成の具体例：
図１は、入力画像Ｄ１に基づいた一覧画像Ｄ３の印刷物４００を形成した後に本番のモノクロの出力画像Ｄ５を被印刷物４１０に形成する例を模式的に示している。図２，３は、印刷装置１とホスト装置１００を含む印刷システムの構成例を模式的に示している。図２は、印刷制御装置Ｕ０及び画像形成装置を含む場合の印刷装置１としてインクジェットプリンターの一種であるシリアルプリンターの構成例を示している。むろん、本技術を適用可能なインクジェットプリンターは、ラインプリンター等でもよい。本技術を適用可能な印刷装置は、レーザープリンターといった電子写真方式のプリンター等でもよく、複写機、ファクシミリ、これらの機能を備えた複合機、等でもよい。図３は、画像形成装置の一部、及び、印刷制御装置Ｕ０を含む場合のホスト装置１００の構成例を示している。
モノクロ画像は、無彩色のインクに有彩色のインクを併用することにより多様な色度（色相及び彩度）が表現される。モノクロ画像には、セピア調のモノクロ画像、ウォーム調のモノクロ画像、クール調のモノクロ画像、等も含まれる。
【００２６】
まず、印刷制御装置Ｕ０及び画像形成装置を含む場合の印刷装置１の構成例を図２に基づいて説明する。図２に示す印刷装置１では、コントローラー１０、ＲＡＭ（Random Access Memory）２０、不揮発性メモリー３０、機構部５０、インターフェイス（Ｉ／Ｆ）７１，７２、操作パネル７３、等がバス８０に接続されて互いに情報を入出力可能とされている。
【００２７】
コントローラー１０は、ＣＰＵ（Central Processing Unit）１１、解像度変換部４１、色変換部４２、ハーフトーン処理部４３、ラスタライズ処理部４４、駆動信号送信部４５、等を備える。コントローラー１０は、ＳｏＣ（System on a Chip）等により構成することができる。コントローラー１０は、一覧用色変換テーブル生成部Ｕ２、一覧印刷制御部Ｕ３、及び、一覧画像形成部Ｕ４を構成し、操作パネル７３及び通信Ｉ／Ｆ７２とともに明るさ調整部Ｕ１及び色味調整部Ｕ５を構成する。
ＣＰＵ１１は、印刷装置１における情報処理や制御を中心的に行う装置である。
【００２８】
解像度変換部４１は、ホスト装置１００やメモリーカード９０等から受け取った画像の解像度を設定解像度に変換する。変換対象の画像は、例えば、ｓＲＧＢ表色系の成分といったＲＧＢ（赤、緑、青）の２５６階調の整数値を各画素に有するＲＧＢデータで表現される。図１に示す入力画像Ｄ１は、解像度変換が行われた色変換前の画像とする。入力画像Ｄ１は、互いに直交する（異なる）ｘ，ｙ方向へ画素ＰＸ１が並べられ、各画素ＰＸ１に階調値（ｒ，ｇ，ｂ）が格納されている。入力画像Ｄ１がグレー画像である場合、ｒ＝ｇ＝ｂとされる。内部処理としては、各画素ＰＸ１にＲの階調値ｒとＧの階調値ｇとＢの階調値ｂを格納する必要は無く、階調値ｒ，ｇ，ｂのいずれか一つを明度に対応した階調値として各画素ＰＸ１に格納してもよい。ここで、明度は、例えば、ＣＩＥ Ｌ*ａ*ｂ*色空間を構成する明度Ｌ*で定義される。
色変換部４２は、本番印刷用ＬＵＴ（本番印刷用色変換テーブル）３１０を参照して前記設定解像度のＲＧＢデータを各画素にＣＭＹＫＬｋＬＬｋの階調値を有するＣＭＹＫＬｋＬＬｋデータに変換する。以下、色変換テーブルを単にＬＵＴ（ルックアップテーブル）とも記載する。
【００２９】
ハーフトーン処理部４３は、ＣＭＹＫＬｋＬＬｋデータを構成する各画素の階調値に対して例えばディザ法や誤差拡散法や濃度パターン法といった所定のハーフトーン処理を行って前記階調値の階調数を減らし、ハーフトーンデータを生成する。ハーフトーンデータは、ドットの形成状況を表すデータであり、ドットの形成有無を表す２値データでもよいし、大中小の各ドットといった異なるサイズのドットに対応可能な３階調以上の多値データでもよい。
ラスタライズ処理部４４は、ハーフトーンデータを機構部５０でドットが形成される順番に並べ換えるラスタライズ処理を行ってラスタデータ（パス単位のイメージデータ）を生成する。
【００３０】
駆動信号送信部４５は、ヘッド６１の駆動素子６３に印加する電圧信号に対応した駆動信号ＳＧをラスタデータから生成して駆動回路６２へ出力する。例えば、ラスタデータが「大ドット形成」であれば大ドット用のインク滴を吐出させる駆動信号を出力し、ラスタデータが「小ドット形成」であれば小ドット用のインク滴を吐出させる駆動信号を出力する。
上記各部４１〜４５は、ＡＳＩＣ（Application Specific Integrated Circuit）で構成されてもよく、ＲＡＭ２０から処理対象のデータを直接読み込んだりＲＡＭ２０に処理後のデータを直接書き込んだりしてもよい。
【００３１】
コントローラー１０に制御される機構部５０は、キャリッジモーター５１、紙送り機構５３、キャリッジ６０、ヘッド６１、等を備える。キャリッジモーター５１は、図示しない複数の歯車及びベルト５２を介してキャリッジ６０を往復移動させる。紙送り機構５３は、キャリッジの移動方向とは異なる紙送り方向へ被印刷物４１０を搬送する。キャリッジ６０には、例えばＣＭＹＫＬｋＬＬｋのインク滴（液滴）６７を吐出するヘッド６１が搭載されている。ヘッド６１は、駆動回路６２、駆動素子６３、等を備える。駆動回路６２は、コントローラー１０から入力される駆動信号ＳＧに従って駆動素子６３に電圧信号を印加する。駆動素子６３には、ノズル６４に連通する圧力室内のインク（液体）６６に圧力を加える圧電素子、熱により圧力室内に気泡を発生させてノズル６４からインク滴６７を吐出させる駆動素子、等を用いることができる。ヘッド６１の圧力室には、インクカートリッジ（液体カートリッジ）６５からインク６６が供給される。インクカートリッジ６５とヘッド６１の組合せは、例えば、ＣＭＹＫＬｋＬＬｋのそれぞれに設けられる。圧力室内のインク６６は、駆動素子６３によってノズル６４から被印刷物４１０に向かってインク滴６７として吐出され、被印刷物４１０にインク滴６７のドットが形成される。複数のノズル６４と被印刷物４１０とが相対移動することにより、入力画像Ｄ１に対応した出力画像Ｄ５が被印刷物４１０に形成される。
【００３２】
尚、被印刷物（print substrate）は、印刷画像を保持する素材のことである。形状は長方形のものが一般的であるが、円形（例えばＣＤ−ＲＯＭ、ＤＶＤ等の光ディスク）、三角形、四角形、多角形などがあり、少なくとも、JIS（日本工業規格）P0001:1998（紙・板紙及びパルプ用語）に記載の紙・板紙の品種及び加工製品の全てを含む。樹脂シート、金属板、立体物、等も被印刷物に含まれる。
【００３３】
ＲＡＭ２０には、プログラムデータＰＲＧ１から展開されたプログラムＰＲＧ２、図７に示すような中間ＬＵＴ（中間色変換テーブル）３１２及び最終ＬＵＴ（最終色変換テーブル）３１３、一覧印刷用ＬＵＴ（一覧用色変換テーブル）３２０、等が格納される。プログラムＰＲＧ２は、明るさ調整部Ｕ１に対応した明るさ調整機能、一覧用色変換テーブル生成部Ｕ２に対応した一覧用色変換テーブル生成機能、一覧印刷制御部Ｕ３に対応した一覧印刷制御機能、一覧画像形成部Ｕ４に対応した一覧画像形成機能、及び、色味調整部Ｕ５に対応した色味調整機能を印刷装置１に実現させるプログラムを含む。
不揮発性メモリー３０には、プログラムデータＰＲＧ１、元ＬＵＴ（元色変換テーブル）３１１、係数テーブル３８０、等が記憶されている。不揮発性メモリー３０には、ＲＯＭ（Read Only Memory）、ハードディスクといった磁気記録媒体、等が用いられる。尚、プログラムデータＰＲＧ１を展開するとは、ＣＰＵ１１で解釈可能なプログラムとしてＲＡＭ２０に書き込むことを意味する。
【００３４】
カードＩ／Ｆ７１は、メモリーカード９０にデータを書き込んだりメモリーカード９０からデータを読み出したりする回路である。メモリーカード９０は、データの書き込み及び消去が可能な不揮発性半導体メモリーであり、デジタルカメラといった撮影装置により撮影された画像等が記憶される。画像は、例えばＲＧＢ色空間の画素値で表され、ＲＧＢの各画素値は、例えば０〜２５５の８ビットの階調値で表される。
通信Ｉ／Ｆ７２は、ホスト装置１００の通信Ｉ／Ｆ１７２に接続され、ホスト装置１００に対して情報を入出力する。ホスト装置１００には、パーソナルコンピューターといったコンピューター、デジタルカメラ、デジタルビデオカメラ、スマートフォンといった携帯電話、等が含まれる。
【００３５】
操作パネル７３は、出力部７４、入力部７５、等を有し、画像をカラー印刷するかモノクロ印刷するかの設定等、ユーザーが印刷装置１に対して各種の指示を入力可能である。出力部７４は、例えば、各種の指示に応じた情報や印刷装置１の状態を示す情報を表示する液晶パネル（表示部）で構成される。出力部７４は、これらの情報を音声出力してもよい。入力部７５は、例えば、カーソルキーや決定キーといった操作キー（操作入力部）で構成される。入力部７５は、表示画面への操作を受け付けるタッチパネル等でもよい。尚、操作パネル７３及び通信Ｉ／Ｆ７２は、コントローラー１０とともに明るさ調整部Ｕ１及び色味調整部Ｕ５を構成する。
【００３６】
ところで、印刷制御装置Ｕ０及び画像形成装置の少なくとも一部は、ホスト装置１００に含まれてもよい。図３に示すようにプリンタードライバー１４０がホスト装置１００にインストールされる場合、プリンタードライバー１４０がホスト装置１００を解像度変換部１４１、色変換部１４２、ハーフトーン処理部１４３、ラスタライズ処理部１４４、印刷データ送信部１４５、等として機能させてもよい。これにより、プリンタードライバー１４０は、ホスト装置１００を、明るさ調整部Ｕ１、一覧用色変換テーブル生成部Ｕ２、一覧印刷制御部Ｕ３、一覧画像形成部Ｕ４、及び、色味調整部Ｕ５として機能させる。
【００３７】
図３に示すホスト装置１００は、ＣＰＵ１１１、ＲＯＭ１１２、ＲＡＭ１１３、記憶装置１１４、入力装置１１５、通信Ｉ／Ｆ１７２、例えば外部の表示装置１７４、等がバスに接続されて互いに情報を入出力可能とされている。記憶装置１１４は、オペレーティングシステム、プリンタードライバー１４０、等を記憶している。記憶装置１１４には、ハードディスク等の磁気記憶装置、フラッシュメモリー等の不揮発性半導体メモリー、等を用いることができる。入力装置１１５は、キーボードやポインティングデバイスといった操作入力装置等で構成される。尚、プリンタードライバー実行時の入力装置１１５は、明るさ調整部Ｕ１及び色味調整部Ｕ５を構成する。
【００３８】
解像度変換部１４１は、処理対象のＲＧＢデータの解像度を設定解像度に変換する。色変換部１４２は、本番印刷用ＬＵＴ３１０を参照して前記設定解像度のＲＧＢデータを各画素にＣＭＹＫＬｋＬＬｋの階調値を有するＣＭＹＫＬｋＬＬｋデータに変換する。ハーフトーン処理部４３は、ＣＭＹＫＬｋＬＬｋデータを構成する各画素の階調値に対して所定のハーフトーン処理を行って前記階調値の階調数を減らし、ハーフトーンデータを生成する。ラスタライズ処理部４４は、ハーフトーンデータを印刷装置１の機構部５０でドットが形成される順番に並べ換えるラスタライズ処理を行ってラスタデータを生成する。印刷データ送信部１４５は、通信Ｉ／Ｆ１７２，７２により接続された印刷装置１に対してラスタデータを含む印刷データを送信する。この場合、印刷装置１は解像度変換部４１、色変換部４２、ハーフトーン処理部４３、及び、ラスタライズ処理部４４が無くてもよく、駆動信号送信部４５がラスタデータから駆動信号ＳＧを生成して駆動回路６２へ出力すればよい。
むろん、印刷装置１がラスタライズ処理部４４を有する場合、ホスト装置１００はラスタライズ処理部１４４が無くてもよい。印刷装置１がさらにハーフトーン処理部４３を有する場合、ホスト装置１００はハーフトーン処理部１４３が無くてもよい。印刷装置１がさらに色変換部４２を有する場合、ホスト装置１００は色変換部１４２が無くてもよい。
【００３９】
図４は、明るさ調整部Ｕ１が明るさ調整情報８１０を用いて元ＬＵＴ３１１（ＬＵＴ３１０の一種）から中間ＬＵＴ３１２（ＬＵＴ３１０の一種）を生成する例を模式的に示している。中間ＬＵＴ３１２は、一覧印刷用ＬＵＴ３２０を生成するための元となる色変換テーブルであり、また、ユーザーが選択した色味を再現する最終ＬＵＴ３１３（図７参照。ＬＵＴ３１０の一種）を生成するための元となる色変換テーブルでもある。尚、図４，７のＬＵＴ３１１，３１２，３１３に示した具体的な数値は、あくまでも例に過ぎない。
【００４０】
ＬＵＴ３１１，３１２，３１３は、入力座標値と印刷用のインクの使用量との対応関係を各格子点について規定している。図４，７に示すＬＵＴ３１１，３１２，３１３は、モノクロ画像を印刷するためのデータテーブルであり、入力色空間であるＲＧＢ色空間の各成分が同じ値とされている。従って、ＬＵＴ３１１，３１２，３１３は、実質的に１次元のデータテーブルである。カラー画像を印刷するためのＬＵＴは、通常、３次元のデータテーブルであり、データサイズを抑えるためＲＧＢ色空間の座標軸（Ｒ軸とＧ軸とＢ軸）に沿った格子点の数を入力座標値の階調数よりも少なくしている。１次元のＬＵＴ３１１，３１２，３１３は、形成されるモノクロ画像の画質を向上させるため、格子点数Ｎ１を入力座標値の階調数（例えば８ビットで表現可能な２５６）に合わせている。これにより、補間演算を行わずに最終ＬＵＴ３１３を参照して色変換することができ、高い階調性、及び、高速の処理が可能となる。尚、符号ＧＤ１は、ＬＵＴ３１１，３１２，３１３においてＲＧＢ色空間（入力色空間）のグレー軸にある格子点数Ｎ１＝２５６の第一格子点を示している。ＲＧＢ色空間のグレー軸は、ＲＧＢ色空間においてＲＧＢの入力座標値が同じ線状の部分を意味し、元ＬＵＴ３１１の場合にはＲ０ｉ＝Ｇ０ｉ＝Ｂ０ｉを意味し、中間ＬＵＴ３１２の場合にはＲ１ｉ＝Ｇ１ｉ＝Ｂ１ｉを意味し、最終ＬＵＴ３１３の場合にはＲｉ＝Ｇｉ＝Ｂｉを意味する。ここで、変数ｉは０〜２５５の整数である。また、ＬＵＴ３１１，３１２，３１３においてインク使用量に対応した出力座標値の階調数Ｇ１は、カラー画像印刷用のＬＵＴにおける出力座標値の階調数（例えば２５６）よりも多い階調数（例えば１６ビットで表現可能な約６５０００）にしている。これにより、高精度の色調整が可能である。
【００４１】
図４に示す元ＬＵＴ３１１は、入力座標値Ｒ０ｉ，Ｇ０ｉ，Ｂ０ｉと出力座標値Ｃ０ｉ，Ｍ０ｉ，Ｙ０ｉ，Ｋ０ｉ，Ｌｋ０ｉ，ＬＬｋ０ｉとの対応関係を規定しているものとする。ここで、Ｒ０ｉ＝Ｇ０ｉ＝Ｂ０ｉであり、グレー軸にＮ１＝２５６の第一格子点ＧＤ１がある。内部処理としては、Ｒ０ｉ，Ｇ０ｉ，Ｂ０ｉのいずれか一つに対応したアドレスに出力座標値Ｃ０ｉ，Ｍ０ｉ，Ｙ０ｉ，Ｋ０ｉ，Ｌｋ０ｉ，ＬＬｋ０ｉを格納したデータテーブルを元ＬＵＴ３１１としてもよい。
図４，７に示す中間ＬＵＴ３１２は、入力座標値Ｒ１ｉ，Ｇ１ｉ，Ｂ１ｉと出力座標値Ｃ１ｉ，Ｍ１ｉ，Ｙ１ｉ，Ｋ１ｉ，Ｌｋ１ｉ，ＬＬｋ１ｉとの対応関係を規定しているものとする。ここで、Ｒ１ｉ＝Ｇ１ｉ＝Ｂ１ｉであり、グレー軸にＮ１＝２５６の第一格子点ＧＤ１がある。内部処理としては、Ｒ１ｉ，Ｇ１ｉ，Ｂ１ｉのいずれか一つに対応したアドレスに出力座標値Ｃ１ｉ，Ｍ１ｉ，Ｙ１ｉ，Ｋ１ｉ，Ｌｋ１ｉ，ＬＬｋ１ｉを格納したデータテーブルを中間ＬＵＴ３１２としてもよい。
【００４２】
図７に示す最終ＬＵＴ３１３は、入力座標値Ｒｉ，Ｇｉ，Ｂｉと出力座標値Ｃｉ，Ｍｉ，Ｙｉ，Ｋｉ，Ｌｋｉ，ＬＬｋｉとの対応関係を規定しているものとする。ここで、Ｒｉ＝Ｇｉ＝Ｂｉであり、グレー軸にＮ１＝２５６の第一格子点ＧＤ１がある。内部処理としては、Ｒｉ，Ｇｉ，Ｂｉのいずれか一つに対応したアドレスに出力座標値Ｃｉ，Ｍｉ，Ｙｉ，Ｋｉ，Ｌｋｉ，ＬＬｋｉを格納したデータテーブルを最終ＬＵＴ３１３としてもよい。本具体例では、中間ＬＵＴ３１２に基づいて最終ＬＵＴ３１３を生成する際に有彩色の出力座標値Ｃｉ，Ｍｉ，Ｙｉのみ生成することにし、Ｋｉ＝Ｋ１ｉ、Ｌｋｉ＝Ｌｋ１ｉ、ＬＬｋｉ＝ＬＬｋ１ｉとしている。
尚、高画質印刷モード、高速印刷モード、といった記録方法の違い等の印刷モードの違いによって、記録ヘッドの駆動回路に供給される吐出波形、１ドット当たりのインク重量、等が異なる。また、光沢紙、普通紙、といった被印刷物の違い等の印刷モードの違いによって、「インクデューティー制限値」、すなわち、被印刷物の単位面積当たりに使用可能なインク量が異なる。従って、印刷モード毎に元ＬＵＴ３１１が用意され、印刷モード毎に中間ＬＵＴ３１２が生成され、印刷モード毎に最終ＬＵＴ３１３が生成される。
【００４３】
図４に示す明るさ調整情報８１０は、出力画像Ｄ５の明るさを調整するための情報であり、出力画像Ｄ５の明るさを変えるときに元ＬＵＴ３１１を補正するための情報である。明るさ調整情報８１０には、元ＬＵＴ３１１をそのまま中間ＬＵＴ３１２にするための１：１調整情報８１１、出力画像Ｄ５の明度を調整するための明度調整情報８１２、出力画像Ｄ５のコントラストを調整するためのコントラスト調整情報８１３，８１４、図示しないガンマ補正を行うための情報、等が含まれる。明るさ調整情報８１０は、例えば、図６に示すように０以上１以下の入力Ｉａと０以上１以下の出力Ｏａとを対応付けた情報テーブルとすることができる。ここで、変数ａは、入力の個数に応じた整数（例えば０〜２５５の整数）である。図４に示す明度調整情報８１２は、元ＬＵＴ３１１の低明度側（例えば０よりも大きく０．６以下の入力）を大きくすることにより出力画像Ｄ５の明度を上げるための情報である。むろん、出力画像Ｄ５の明度を下げるための明度調整情報が明るさ調整情報８１０に含まれてもよい。図４に示すコントラスト調整情報８１３は、出力画像Ｄ５のコントラストを強くするための情報である。図４に示すコントラスト調整情報８１４は、出力画像Ｄ５のコントラストを弱くするための情報である。
【００４４】
図５（ａ）は元ＬＵＴ３１１における０〜２５５の入力階調値と０〜約５００００の出力階調値との対応関係の例を模式的に示し、図５（ｂ）は中間ＬＵＴ３１２における０〜２５５の入力階調値と０〜約５００００の出力階調値との対応関係の例を模式的に示している。図５（ａ），（ｂ）に示す対応関係は、ＲＧＢ色空間のグレー軸における対応関係となる。ここで、ＬＵＴ３１１，３１２の入力階調値は第一格子点ＧＤ１の入力座標値に対応し、ＬＵＴ３１１，３１２の出力階調値は各インクの使用量に対応している。図５（ａ），（ｂ）では、見易くするため、ＣＭＹＫＬｋＬＬｋインクのうちＫＬｋＬＬｋインクの対応関係を示している。図示していないが、ＬＵＴ３１１，３１２には、ＣＭＹインクの対応関係も規定されている。
【００４５】
図５（ａ）に示す元ＬＵＴ３１１の場合、Ｋインクの出力階調値が最大のピーク位置（Ｋインクの最大使用量の位置）７１０となる入力階調値は、０である。また、Ｌｋインクの出力階調値が最大のピーク位置（Ｌｋインクの最大使用量の位置）７１１となる入力階調値は、約１００である。さらに、ＬＬｋインクの出力階調値が最大のピーク位置（ＬＬｋインクの最大使用量の位置）７１２となる入力階調値は、約１４０である。すなわち、Ｌｋインク及びＬＬｋインクは、グレー軸の最小位置（入力階調値０）及び最大位置（入力階調値２５５）との間にインク使用量が最大の位置がある色材である。図示していないが、ＣＭＹインクも、グレー軸の最小位置（入力階調値０）及び最大位置（入力階調値２５５）との間にインク使用量が最大の位置がある色材である。
高画質なモノクロ画像を印刷するためには、印刷モード、例えば、被印刷物の種類に応じてインク使用量を変えた元ＬＵＴを用意する必要がある。元ＬＵＴに規定されるインク使用量が変わると、ＬｋＬＬｋインクのピーク位置７１１，７１２といったインクのピーク位置が変わることがある。
【００４６】
出力画像Ｄ５の明るさを調整するために明るさ調整情報８１０を用いて元ＬＵＴ３１１を補正すると、図５（ｂ）に示す中間ＬＵＴ３１２のようにインクのピーク位置が変わることがある。図５（ｂ）に示す中間ＬＵＴ３１２の場合、Ｋインクのピーク位置７２０となる入力階調値は、元ＬＵＴ３１１と同じ０である。しかし、Ｌｋインクのピーク位置７２１となる入力階調値は、元ＬＵＴ３１１の場合よりも小さい約６０である。さらに、ＬＬｋインクのピーク位置７２２となる入力階調値は、元ＬＵＴ３１１の場合よりも約１２０である。このように、出力画像Ｄ５の明るさ調整のために元ＬＵＴ３１１を補正すると、ＬｋＬＬｋインクのピーク位置７１１，７１２といったインクのピーク位置が変わることがある。尚、図５（ｂ）に示す中間ＬＵＴ３１２は、明度調整情報８１２を用いて元ＬＵＴ３１１を補正することにより得られたＬＵＴである。
【００４７】
図６は、明度調整情報８１２を例として明るさ調整情報８１０を用いて元ＬＵＴ３１１におけるＲの入力階調値Ｒ０ｉ（Ｒ０ｉ＝Ｇ０ｉ＝Ｂ０ｉ）とＬｋインクの出力階調値Ｌｋ０ｉとの対応関係から中間ＬＵＴ３１２における入力階調値Ｒ１ｉ（Ｒ１ｉ＝Ｇ１ｉ＝Ｂ１ｉ）とＬｋインクの出力階調値Ｌｋ１ｉとの対応関係を生成する様子を模式的に示している。明るさ調整情報８１０は、０以上１以下の入力Ｉａと０以上１以下の出力Ｏａとの対応関係に従って元ＬＵＴ３１１の入力階調値を補正して中間ＬＵＴ３１２に作り替えるための情報テーブルとも言える。元ＬＵＴ３１１の入力階調値を変換するため、例えば、明るさ調整情報８１０の入力Ｉａと出力Ｏａとを２５５倍して整数の階調値にした明るさ調整情報８２０を用意することにする。図６に示すように、明るさ調整情報８２０の出力２５５×Ｏａに一致する元ＬＵＴ３１１の入力階調値Ｒ０ｉに対応付けられている出力階調値Ｌｋ０ｉを明るさ調整情報８２０の入力２５５×Ｉａに対応付けると、中間ＬＵＴ３１２のＬｋインクの対応関係を規定することができる。すなわち、中間ＬＵＴ３１２の入力階調値Ｒ１ｉは明るさ調整情報８２０の入力２５５×Ｉａに由来し、中間ＬＵＴ３１２の出力階調値Ｌｋ１ｉは元ＬＵＴ３１１の出力階調値Ｌｋ０ｉに由来する。
【００４８】
むろん、中間ＬＵＴ３１２のＣＭＹＫＬＬｋインクの対応関係も、同様にして規定することができる。また、コントラスト調整情報８１３，８１４といった明度調整情報８１２以外の明るさ調整情報８１０を用いても、同様にして元ＬＵＴ３１１から中間ＬＵＴ３１２を生成することができる。さらに、整数の階調値にした明るさ調整情報８２０を用いなくても、明るさ調整情報８１０に従って元ＬＵＴ３１１の入力階調値を直接変換することにより中間ＬＵＴ３１２を生成してもよい。
【００４９】
図７は、係数テーブル３８０を参照して中間ＬＵＴ３１２から最終ＬＵＴ３１３を生成する例を模式的に示している。色度（色相及び彩度）といった色味を細かく調整する場合、色味の調整に応じて予め本番印刷用ＬＵＴを用意しようとすると膨大なメモリーサイズが必要となる。そこで、本具体例では、色味の調整に応じて中間ＬＵＴ３１２から最終ＬＵＴ３１３を生成することにしている。尚、色度は、三次元で表される心理物理的色から測光量の次元を除いた色の二次元的性質を意味し、例えば、ＣＩＥ Ｌ*ａ*ｂ*色空間から明度Ｌ*の次元を除いた色座標ａ*，ｂ*、ＣＩＥ Ｌ*ｕ*ｖ*色空間から明度Ｌ*の次元を除いた色座標ｕ*，ｖ*、等が含まれる。
【００５０】
係数テーブル３８０は、色味の調整に応じて中間ＬＵＴ３１２の出力座標値Ｃ１ｉ，Ｍ１ｉ，Ｙ１ｉから最終ＬＵＴ３１３の出力座標値Ｃｉ，Ｍｉ，Ｙｉを生成するためのデータが格納されている。図７に示す係数テーブル３８０は、テスト画像ｔのそれぞれについてＣＭＹの係数Ａｃｔ，Ａｍｔ，Ａｙｔが格納されている。尚、各テスト画像ｔには、図８に示すパラメーターＸ，Ｙの値が対応付けられている。ここでのパラメーターＸ，Ｙは、図５（ａ），（ｂ）で示したＸ−Ｙ平面におけるＸ，Ｙとは異なる。図１に示す一覧画像Ｄ３のうちの一つのテスト画像Ｄ３ａに対応した色味が設定された場合、出力座標値Ｃｉ，Ｍｉ，Ｙｉの生成に必要なデータが係数テーブル３８０から読み出されて出力座標値Ｃｉ，Ｍｉ，Ｙｉが生成される。例えば、０＜Ａｃｔ≦１、０＜Ａｍｔ≦１、且つ、０＜Ａｙｔ≦１であるとして、テスト画像ｔに対応した色味が設定された場合、
Ｃｉ＝Ａｃｔ×Ｃ１ｉ
Ｍｉ＝Ａｍｔ×Ｍ１ｉ
Ｙｉ＝Ａｙｔ×Ｙ１ｉ
の計算式により出力座標値Ｃｉ，Ｍｉ，Ｙｉを算出することができる。また、あるテスト画像に対応した色味と別のテスト画像に対応した色味との間の色味が設定された場合、例えば、これらのテスト画像に対応した複数組の係数を用いて出力座標値Ｃ１ｉ，Ｍ１ｉ，Ｙ１ｉに乗じる係数を補間演算により求めて出力座標値Ｃｉ，Ｍｉ，Ｙｉを算出してもよい。いずれにしても、出力座標値Ｃ１ｉ，Ｍ１ｉ，Ｙ１ｉに係数Ａｃｔ，Ａｍｔ，Ａｙｔが適用されるだけであるので、ＫＬｋＬＬｋインクのみならずＣＭＹインクの最大使用量の位置（ピーク位置）は中間ＬＵＴ３１２と最終ＬＵＴ３１３とで同じである。
【００５１】
尚、出力座標値Ｃ１ｉ，Ｍ１ｉ，Ｙ１ｉに応じて係数Ａｃｔ，Ａｍｔ，Ａｙｔを１よりも大きくすることも可能である。
【００５２】
ところで、印刷制御装置Ｕ０は、被印刷物４１０に形成されるモノクロの出力画像Ｄ５の微妙な色味を確認することができるように、一覧画像Ｄ３の印刷物４００（図８参照）を形成するための一覧印刷制御部Ｕ３を備えている。図８に示す印刷物４００は、色味が互いに異なるテスト画像Ｄ３ａを縦横に並べた一覧画像Ｄ３が被印刷物４１０に印刷されたものである。便宜上、印刷されない識別番号ｔを各テスト画像Ｄ３ａの中に示している。各画像Ｄ３ａの下には、色度（例えば図９に示す成分ａ*，ｂ*）に対応したパラメーターＸ，Ｙの値が印刷されている。ここで、パラメーターＸの値はａ*に対応し、パラメーターＹの値はｂ*に対応しているものとする。
【００５３】
図１に示す一覧印刷制御部Ｕ３は、まず、入力画像Ｄ１に基づいて色度（ａ*，ｂ*）が互いに異なるテスト画像Ｄ２ａの一覧である元一覧画像Ｄ２を生成する。各画像Ｄ２ａは、入力画像Ｄ１と同様にｘ，ｙ方向へ画素が並べられ、各画素にＲＧＢの階調値が格納される。本具体例では、入力画像Ｄ１の階調値ｒをＲの階調値としてテスト画像Ｄ２ａの画素に格納し、印刷物４００における各画像Ｄ３ａの色味を表す階調値をＧ，Ｂの階調値としてテスト画像Ｄ２ａの画素に格納している。図１には、Ｇの階調値として色座標ａ*に対応した階調値が格納され、Ｂの階調値として色座標ｂ*に対応した階調値が格納されていることが示されている。あるテスト画像Ｄ２ｂの画素に階調値ｒ，ｇ１，ｂ１が格納され、別のテスト画像Ｄ２ｃの画素に階調値ｒ，ｇ２，ｂ２が格納されているものとすると、ｇ１，ｇ２がａ*に対応した階調値であり、ｂ１，ｂ２がｂ*に対応した階調値である。
【００５４】
元一覧画像Ｄ２の各テスト画像Ｄ２ａは、一つの被印刷物４１０に複数形成されるように入力画像Ｄ１から縮小されることが好ましい。入力画像Ｄ１の縮小は、種々の画像処理方法により行うことができる。例えば、ｘ方向においてｍ画素おき（ｍは２以上の整数）、且つ、ｙ方向においてｎ画素おき（ｎは２以上の整数）となるように入力画像Ｄ１から画素ＰＸ１をサンプリングすると、ｘ方向において１／ｍ、且つ、ｙ方向において１／ｎに縮小されたテスト画像Ｄ２ａが生成される。また、ｘ方向においてｍ画素、且つ、ｙ方向においてｎ画素の単位で画素値を平均しても、ｘ方向において１／ｍ、且つ、ｙ方向において１／ｎに縮小されたテスト画像Ｄ２ａが生成される。むろん、各テスト画像Ｄ２ａには、色味を表す階調値も格納される。
【００５５】
元一覧画像Ｄ２が生成されると、一覧印刷制御部Ｕ３は、本番印刷用ＬＵＴ３１０とは異なる構造の一覧印刷用ＬＵＴ３２０を参照して元一覧画像Ｄ２を色変換する。図１に示すように、変換後の一覧画像Ｄ３の各画像Ｄ３ａは、元一覧画像Ｄ２と同様にｘ，ｙ方向へ画素が並べられているが、各画素にＣＭＹＫＬｋＬＬｋの階調値が格納される。図１では、変換前のテスト画像Ｄ２ｂに格納されていた階調値ｒ，ｇ１，ｂ１が階調値ｃ１，ｍ１，ｙ１，ｋ，ｌｋ，ｌｌｋに変換されてテスト画像Ｄ３ｂに格納され、別のテスト画像Ｄ２ｃに格納されていた階調値ｒ，ｇ２，ｂ２が階調値ｃ２，ｍ２，ｙ２，ｋ，ｌｋ，ｌｌｋに変換されてテスト画像Ｄ３ｃに格納されていることが示されている。
【００５６】
図９は、一覧印刷用ＬＵＴ３２０の構造例を模式的に示している。尚、一覧印刷用ＬＵＴ３２０に示した具体的な数値は、あくまでも例に過ぎない。一覧印刷用ＬＵＴ３２０は、入力座標値Ｒｊ，Ｇｊ，Ｂｊと出力座標値Ｃｊ，Ｍｊ，Ｙｊ，Ｋｊ，Ｌｋｊ，ＬＬｋｊとの対応関係を各格子点について規定している。ここで、変数ｊは、一覧印刷用ＬＵＴ３２０の格子点を識別する番号である。一覧印刷用ＬＵＴ３２０における入力色空間を構成する複数の成分は、明度に対応した明度成分３２１と、調整される色味に対応した色味成分３２２と、を含んでいる。本具体例では、テスト画像Ｄ２ａの階調値ｒを一覧印刷用ＬＵＴ３２０のＲの入力座標値Ｒｊに対応させ、テスト画像Ｄ２ａの階調値ｇ１，ｇ２，…を一覧印刷用ＬＵＴ３２０のＧの入力座標値Ｇｊに対応させ、テスト画像Ｄ２ａの階調値ｂ１，ｂ２，…を一覧印刷用ＬＵＴ３２０のＢの入力座標値Ｂｊに対応させている。すなわち、一覧印刷用ＬＵＴ３２０は擬似的なＲＧＢ表色系を入力表色系とする３次元のデータテーブルであり、Ｒの入力座標値Ｒｊが明度に対応した階調値であり、Ｇの入力座標値Ｇｊが色座標ａ*に対応した階調値であり、Ｂの入力座標値Ｂｊが色座標ｂ*に対応した階調値である。出力座標値Ｃｊ，Ｍｊ，Ｙｊ，Ｋｊ，Ｌｋｊ，ＬＬｋｊは、入力座標値Ｇｊ，Ｂｊに対応した色度（ａ*，ｂ*）が色変換後のテスト画像Ｄ３ａに付与されるように設定されている。
【００５７】
本来、モノクロ画像用のＬＵＴにおけるＲＧＢの入力座標値Ｒｊ，Ｇｊ，Ｂｊは、Ｒｊ＝Ｇｊ＝Ｂｊであるはずである。本具体例では、入力座標値Ｒｊ，Ｇｊ，Ｂｊの役割を変更し、入力座標値Ｒｊを明度に対応した階調値、入力座標値Ｇｊ，Ｂｊを色調整の切り換え用の階調値として、本番印刷用ＬＵＴ３１０を簡素化したものを複数内部に備える一覧印刷用ＬＵＴ３２０を作成することにしている。元一覧画像Ｄ２を一覧印刷用ＬＵＴ３２０に対応するように作成することにより、一つの一覧印刷用ＬＵＴ３２０を参照して元一覧画像Ｄ２を一括して色変換して被印刷物４１０に一覧画像Ｄ３を印刷することが可能となり、高速の処理が可能である。
【００５８】
入力座標値Ｇｊ，Ｂｊの組合せは調整される色味に対応しているので、入力座標値Ｇｊ，Ｂｊの組合せに応じて一覧印刷用ＬＵＴ３２０を領域分けすることができる。一覧印刷用ＬＵＴ３２０の各領域（例えば図１０に示す領域Ｒ１〜Ｒ５）の出力座標値Ｃｊ，Ｍｊ，Ｙｊ，Ｋｊ，Ｌｋｊ，ＬＬｋｊは、係数テーブル３８０を参照して中間ＬＵＴ３１２から最終ＬＵＴ３１３を生成する方法と同様の方法に基づいて決定することができる。最終ＬＵＴ３１３の生成と異なるのは、出力座標値を求める第二格子点ＧＤ２の数Ｎ２が第一格子点ＧＤ１の数Ｎ１よりも少ないこと、及び、第二格子点ＧＤ２の出力座標値の階調数Ｇ２が第一格子点ＧＤ１の出力座標値の階調数Ｇ１よりも少ないことである。
例えば、一覧印刷用ＬＵＴ３２０の（Ｇｊ，Ｂｊ）＝（０，０）の領域Ｒ１の出力座標値については、色変換後の画像の色度（ａ*，ｂ*）をともに調整範囲内で最小にする係数Ａｃｔ，Ａｍｔ，Ａｙｔを中間ＬＵＴ３１２に適用することにより決定することができる。この場合、例えば、中間ＬＵＴ３１２からＮ２箇所の入力座標値Ｒ１ｉ＝Ｇ１ｉ＝Ｂ１ｉ＝Ｒｊに対応した出力座標値Ｃ１ｉ，Ｍ１ｉ，Ｙ１ｉ，Ｋ１ｉ，Ｌｋ１ｉ，ＬＬｋ１ｉ（階調数Ｇ１）を抽出し、出力座標値Ｃ１ｉ，Ｍ１ｉ，Ｙ１ｉには係数Ａｃｔ，Ａｍｔ，Ａｙｔを乗じ、係数適用後の出力座標値Ａｃｔ×Ｃ１ｉ，Ａｍｔ×Ｍ１ｉ，Ａｙｔ×Ｙ１ｉ，Ｋ１ｉ，Ｌｋ１ｉ，ＬＬｋ１ｉを階調数Ｇ２（Ｇ２＜Ｇ１）の出力座標値Ｃｊ，Ｍｊ，Ｙｊ，Ｋｊ，Ｌｋｊ，ＬＬｋｊにすればよい。
Ｃｊ＝（Ａｃｔ×Ｃ１ｉ）×Ｇ２／Ｇ１
Ｍｊ＝（Ａｍｔ×Ｍ１ｉ）×Ｇ２／Ｇ１
Ｙｊ＝（Ａｙｔ×Ｙ１ｉ）×Ｇ２／Ｇ１
Ｋｊ＝Ｋ１ｉ×Ｇ２／Ｇ１
Ｌｋｊ＝Ｌｋ１ｉ×Ｇ２／Ｇ１
ＬＬｋｊ＝ＬＬｋ１ｉ×Ｇ２／Ｇ１
得られる出力座標値Ｃｊ，Ｍｊ，Ｙｊ，Ｋｊ，Ｌｋｊ，ＬＬｋｊを入力座標値（Ｒｊ，Ｇｊ，Ｂｊ）＝（Ｒｊ，０，０）に対応付けると、領域Ｒ１の部分の一覧印刷用ＬＵＴ３２０が生成される。尚、色変換後の画像の色度（ａ*，ｂ*）は、明度に応じて異なる色度とすることができる。
【００５９】
一覧印刷用ＬＵＴ３２０の（Ｇｊ，Ｂｊ）＝（０，２５５）の領域Ｒ２の出力座標値については、色変換後の画像のａ*を調整範囲内で最小にしｂ*を調整範囲内で最大にする係数Ａｃｔ，Ａｍｔ，Ａｙｔを中間ＬＵＴ３１２に適用することにより決定することができる。この場合も、例えば、中間ＬＵＴ３１２からＮ２箇所の入力座標値Ｒ１ｉ＝Ｇ１ｉ＝Ｂ１ｉ＝Ｒｊに対応した出力座標値Ｃ１ｉ，Ｍ１ｉ，Ｙ１ｉ，Ｋ１ｉ，Ｌｋ１ｉ，ＬＬｋ１ｉ（階調数Ｇ１）を抽出し、出力座標値Ｃ１ｉ，Ｍ１ｉ，Ｙ１ｉには係数Ａｃｔ，Ａｍｔ，Ａｙｔを乗じ、係数適用後の出力座標値を階調数Ｇ２（Ｇ２＜Ｇ１）の出力座標値Ｃｊ，Ｍｊ，Ｙｊ，Ｋｊ，Ｌｋｊ，ＬＬｋｊにすればよい。得られる出力座標値Ｃｊ，Ｍｊ，Ｙｊ，Ｋｊ，Ｌｋｊ，ＬＬｋｊを入力座標値（Ｒｊ，Ｇｊ，Ｂｊ）＝（Ｒｊ，０，２５５）に対応付けると、領域Ｒ２の部分の一覧印刷用ＬＵＴ３２０が生成される。
一覧印刷用ＬＵＴ３２０の（Ｇｊ，Ｂｊ）＝（１２８，１２８）の領域Ｒ３の出力座標値については、色変換後の画像の色度（ａ*，ｂ*）を調整範囲の略中央にする係数Ａｃｔ，Ａｍｔ，Ａｙｔを中間ＬＵＴ３１２に適用することにより決定することができる。領域Ｒ４，Ｒ５の出力座標値についても、同様にして、決定することができる。
【００６０】
以上説明したようにして、係数Ａｃｔ，Ａｍｔ，Ａｙｔに応じた各最終ＬＵＴの対応関係に基づいて一覧印刷用ＬＵＴ３２０における入力座標値Ｒｊと出力座標値Ｃｊ，Ｍｊ，Ｙｊ，Ｋｊ，Ｌｋｊ，ＬＬｋｊとの対応関係が生成される。
【００６１】
３次元の一覧印刷用ＬＵＴ３２０は、擬似的なＲＧＢの座標軸に沿った第二格子点ＧＤ２の数Ｎ２を本番印刷用ＬＵＴ３１０の第一格子点ＧＤ１の数Ｎ１に合わせると、膨大なデータサイズとなる。そこで、格子点数Ｎ２をＮ１よりも小さい数にして一覧印刷用ＬＵＴ３２０のデータサイズを抑え、一覧印刷用ＬＵＴ３２０を格納するメモリーサイズを少なくしている。ここで、ＲＧＢの座標軸に沿った第二格子点ＧＤ２の数が本番印刷用ＬＵＴ３１０の格子点数Ｎ１よりも小さいとは、Ｒ軸に沿った第二格子点ＧＤ２の数がＮ１よりも小さく、Ｇ軸に沿った第二格子点ＧＤ２の数がＮ１よりも小さく、Ｂ軸に沿った第二格子点ＧＤ２の数がＮ１よりも小さいことを意味する。図９に示す一覧印刷用ＬＵＴ３２０の場合、ＲＧＢの座標軸に沿った第二格子点ＧＤ２は、入力座標値０，１６，３２，…，２２４，２４０，２５５に配置されている。ここで、第二格子点ＧＤ２の配置をこれらの入力座標値に固定すると、一覧画像Ｄ３の色精度が低下することがある。
【００６２】
例えば、図５（ａ）に示す元ＬＵＴ３１１においてＬｋインクのピーク位置７１１とＬＬｋインクのピーク位置７１２とに対応して一覧印刷用ＬＵＴ３２０の第二格子点ＧＤ２が配置され、極端な例となるが、これらの第二格子点ＧＤ２間には第二格子点ＧＤ２が無いものとする。ピーク位置７１１，７１２に対応する第二格子点ＧＤ２間にあるＬＬｋインクの使用量を線分７１３で近似すると、元ＬＵＴ３１１に規定されたインク使用量に対する線分７１３の誤差は、比較的少ない。しかし、図５（ｂ）に示す中間ＬＵＴ３１２におけるピーク位置７２１，７２２は、元ＬＵＴ３１１におけるピーク位置７１１，７１２からずれている。従って、中間ＬＵＴ３１２において前記のピーク位置７１１，７１２に対応して第二格子点ＧＤ２を配置すると、ピーク位置７１２を挟む第二格子点ＧＤ２の間において中間ＬＵＴ３１２に規定されたインク使用量に対する近似の線分７２３の誤差が比較的多くなる。この場合、中間ＬＵＴ３１２（本番印刷用ＬＵＴ３１０）の第一格子点ＧＤ１に存在する最大のインク使用量が一覧印刷用ＬＵＴの第二格子点に存在しないことになるので、一覧印刷画像（一覧画像Ｄ３）と本番印刷画像（出力画像Ｄ５）とに色の差が生じ易い。
【００６３】
上記の誤差を少なくするため、本印刷制御装置Ｕ０は、ＲＧＢ色空間のグレー軸Ｒ＝Ｇ＝Ｂにおいて中間ＬＵＴ３１２に規定された各インク使用量Ｃ１ｉ，Ｍ１ｉ，Ｙ１ｉ，Ｋ１ｉ，Ｌｋ１ｉ，ＬＬｋ１ｉが最大となる位置には少なくとも第二格子点ＧＤ２を配置して一覧印刷用ＬＵＴを生成する一覧用色変換テーブル生成部Ｕ２を有する。従って、ＲＧＢの座標軸に沿った第二格子点ＧＤ２の位置（入力座標値Ｒｊ，Ｇｊ，Ｂｊ）は、ＲＧＢ色空間のグレー軸Ｒ＝Ｇ＝Ｂにおいて中間ＬＵＴ３１２の第一格子点ＧＤ１に規定されたインク使用量Ｃ１ｉ，Ｍ１ｉ，Ｙ１ｉ，Ｋ１ｉ，Ｌｋ１ｉ，ＬＬｋ１ｉに応じて動的に変わる。一覧用色変換テーブル生成部Ｕ２の詳細は、後述する。
【００６４】
また、一覧印刷用ＬＵＴ３２０におけるインク使用量に対応した出力座標値Ｃｊ，Ｍｊ，Ｙｊ，Ｋｊ，Ｌｋｊ，ＬＬｋｊの階調数Ｇ２は、本番印刷用ＬＵＴ３１０の出力座標値の階調数よりも少ない数（例えば８ビットで表現可能な２５６）にしている。これによっても、一覧印刷用ＬＵＴ３２０のデータサイズを抑え、一覧印刷用ＬＵＴ３２０を格納するメモリーサイズを少なくしている。
【００６５】
図１０は、入力座標値Ｇｊ，Ｂｊに色味成分ａ*，ｂ*を対応付ける例を模式的に示している。モノクロ画像は、無彩色に近い範囲内の色で表現することができるため、ＣＭＹの有彩色インクで表現可能な色度（ａ*，ｂ*）の全範囲Ａ０を入力座標値Ｇｊ，Ｂｊに対応付ける必要は無い。図１０の例では、前記範囲Ａ０のうちａｍｉｎ≦ａ*≦ａｍａｘ、且つ、ｂｍｉｎ≦ｂ*≦ｂｍａｘの範囲Ａ１を入力座標値Ｇｊ，Ｂｊに対応付けている。ここで、ａｍｉｎ＜０、ａｍａｘ＞０、ｂｍｉｎ＜０、及び、ｂｍａｘ＞０であり、ａｍｉｎをＧｊ＝０、ａｍａｘをＧｊ＝２５５、ｂｍｉｎをＢｊ＝０、及び、ｂｍａｘをＢｊ＝２５５に対応付けている。図１０の下部には、前記範囲Ａ１を拡大して示し、一覧印刷用ＬＵＴ３２０の領域Ｒ１〜Ｒ５に対応した位置も示している。
【００６６】
元一覧画像Ｄ２の各テスト画像Ｄ２ａには色度（ａ*，ｂ*）に対応したＧ，Ｂの階調値が格納されているので、３次元の一覧印刷用ＬＵＴ３２０を参照することにより元一覧画像Ｄ２を一括して色変換することができる。従って、一覧印刷の制御処理が迅速に行われる。
【００６７】
一覧印刷用ＬＵＴ３２０を参照して元一覧画像Ｄ２を色変換すると、一覧印刷制御部Ｕ３は、変換後の一覧画像Ｄ３を印刷する制御を行う。これにより、色味が互いに異なるテスト画像Ｄ３ａを縦横に並べた一覧画像Ｄ３が被印刷物４１０に設けられた印刷物４００が形成される。印刷装置１のユーザーは、一覧画像Ｄ３を見て本番の出力画像Ｄ５の色味を設定することができる。
【００６８】
図１に示す一覧用色変換テーブル生成部Ｕ２は、図１２に示す格子点決定処理を行って一覧印刷用ＬＵＴ３２０の第二格子点ＧＤ２の位置（入力座標値Ｒｊ，Ｇｊ，Ｂｊ）を動的に決定し、中間ＬＵＴ３１２に基づいて第二格子点ＧＤ２の出力座標値Ｃｊ，Ｍｊ，Ｙｊ，Ｋｊ，Ｌｋｊ，ＬＬｋｊを決定する。これにより、最終ＬＵＴ３１３の特性を極力忠実に再現する一覧印刷用ＬＵＴ３２０を生成することができる。以下、図１２に示す格子点決定処理を含む印刷制御処理（図１１参照）の例を説明する。
【００６９】
（３）印刷制御処理、作用、及び、効果の説明：
図１１は、図３で示したホスト装置１００で実施される印刷制御方法及び画像形成方法を含む印刷制御処理の例を示している。ここで、ステップＳ１０６〜Ｓ１０８は明るさ調整部Ｕ１に対応し、ステップＳ１１０〜Ｓ１１２は一覧用色変換テーブル生成部Ｕ２に対応し、ステップＳ１１４〜Ｓ１１８は一覧印刷制御部Ｕ３及び一覧画像形成部Ｕ４に対応し、ステップＳ１２０〜Ｓ１２２は色味調整部Ｕ５に対応している。以下、「ステップ」の記載を省略する。
【００７０】
例えば、ホスト装置１００は、ＲＡＭ１１３に格納された画像を印刷する操作をユーザーから受け付けると、印刷制御処理を開始させる。まず、ホスト装置１００は、ＲＡＭ１１３に格納された画像を解像度変換部１４１により解像度変換し、印刷方法に従って処理を分岐させる（Ｓ１０２）。例えば、画像をカラー印刷する操作が行われると、ホスト装置１００は、図示しないカラー印刷用のＬＵＴを参照して入力画像を色変換し、変換後の画像を印刷する制御を行う。画像をモノクロ印刷する操作が行われると、画像がカラー画像であるかモノクロ画像であるかに応じて処理が分かれる。カラー画像をモノクロ印刷する場合、ホスト装置１００は、カラー画像をグレー画像に変換し（Ｓ１０４）、処理をＳ１０６に進める。カラー画像の画素値を（ｒ０，ｇ０，ｂ０）とし、変換後のグレー画像の画素値を（ｒ，ｇ，ｂ）とすると、グレー画像への変換は、例えば、計算式ｒ＝ｇ＝ｂ＝（ｒ０＋ｇ０＋ｂ０）／３に従って行うことができる。グレー画像をモノクロ印刷する場合、ホスト装置１００は、そのまま処理をＳ１０６に進める。
【００７１】
Ｓ１０６では、図４で示した明るさ調整情報８１０を選択するための明るさ調整画面を表示装置１７４に表示し、入力装置１１５による明るさ調整情報８１０の選択操作を受け付け、選択された明るさ調整情報８１０をＲＡＭ１１３に読み出す。明るさ調整情報８１０をＲＡＭ１１３に読み出すことは、元ＬＵＴ３１１の補正に使用する明るさ調整情報８１０を取得することに相当する。
【００７２】
Ｓ１０８では、ＲＡＭ１１３に読み出した明るさ調整情報８１０に基づいて明るさ調整前の元ＬＵＴ３１１のデータを補正し、中間ＬＵＴ３１２を生成する。図６で示したように、明るさ調整情報８２０の出力２５５×Ｏａに一致する元ＬＵＴ３１１の入力階調値Ｒ０ｉに対応付けられている出力階調値（例えばＬｋ０ｉ）を明るさ調整情報８２０の入力２５５×Ｉａに対応付けると、中間ＬＵＴ３１２の対応関係を規定することができる。
尚、Ｓ１０６，Ｓ１０８の処理は、省略可能である。Ｓ１０６，Ｓ１０８の処理を省略した場合、元ＬＵＴ３１１が中間ＬＵＴ３１２であるとしてＳ１１０以降の処理を行えばよい。すなわち、明るさ調整部Ｕ１が無い場合も、本技術に含まれる。
【００７３】
Ｓ１１０では、ＲＧＢ色空間のグレー軸Ｒ＝Ｇ＝Ｂにおける一覧印刷用ＬＵＴ３２０の第二格子点ＧＤ２の位置（入力座標値Ｒｊ）を決定する格子点決定処理を行う。
図１２は、ホスト装置１００で実施される格子点決定方法を含む格子点決定処理の例を示している。この処理のため、図１３〜１５に示すように、ＲＧＢ入力色空間のグレー軸において中間ＬＵＴ３１２の第一格子点ＧＤ１の入力座標値Ｒ１ｉ＝Ｇ１ｉ＝Ｂ１ｉを表すＸ軸と、第一格子点ＧＤ１に対応付けられたＣＭＹＫＬｋＬＬｋインクの使用量Ｃ１ｉ，Ｍ１ｉ，Ｙ１ｉ，Ｋ１ｉ，Ｌｋ１ｉ，ＬＬｋ１ｉを表すＹ軸と、を含むＸ−Ｙ平面を定義することにする。本技術の第一の色材はＣＭＹＫＬｋＬＬｋインクの中から選ばれる一のインクに適用され、本技術の第二の色材はＣＭＹＫＬｋＬＬｋインクのうち前記第一の色材を除く５種類のインクの中から選ばれる一のインクに適用される。尚、図１３〜１５では、見易くするため、中間ＬＵＴ３１２においてＣＭＹＫＬｋＬＬｋインクのうちＫＬｋＬＬｋインクのＸ−Ｙ平面上の対応関係を示している。分かり易く示すため、図１３〜１５に示すＫＬｋＬＬｋインクの対応関係に従って第二格子点ＧＤ２のＸ座標（入力座標値Ｒｊ，Ｇｊ，Ｂｊ）を決定する様子を説明する。ここで、「◆」印はＫインクの対応関係において第二格子点ＧＤ２に対応する位置を示し、「■」印はＬｋインク（第一の色材の一例）の対応関係において第二格子点ＧＤ２に対応する位置を示し、「▲」印はＬＬｋインク（第二の色材の一例）の対応関係において第二格子点ＧＤ２に対応する位置を示している。図１２〜１５に示す格子点決定方法では、Ramer-Douglas-Peuckerのアルゴリズムを使用している。
【００７４】
まず、Ｓ２０２では、各インクの対応関係のうち、グレー軸の最小位置（Ｘ＝０）、グレー軸の最大位置（Ｘ＝２５５）、及び、各インクの使用量の最大点（位置７２０，７２１，７２２）のＸ座標を第二格子点ＧＤ２のＸ座標に決定する。決定したＸ座標は、一覧印刷用ＬＵＴ３２０の入力座標値Ｒｊとなる。図１３の上段には、Ｘ＝０の第二格子点ＧＤ２１、Ｘ＝２５５の第二格子点ＧＤ２２、Ｌｋインクのピーク位置７１１に対応する第二格子点ＧＤ２３、及び、ＬＬｋインクのピーク位置７１２に対応する第二格子点ＧＤ２４が決定された様子が示されている。第二格子点ＧＤ２１は、全インクに共通の始点であり、Ｋインクのピーク位置７１３に対応する格子点でもある。第二格子点ＧＤ２２は、全インクに共通の終点である。ＲＧＢ色空間のグレー軸にある第二格子点ＧＤ２１〜ＧＤ２４をＸ座標の順に並べると、ＧＤ２１、ＧＤ２３、ＧＤ２４、ＧＤ２２、の順となる。第二格子点ＧＤ２は全インクに共通の格子点となるため、第二格子点ＧＤ２３のようにＫＬｋＬＬｋインクの全対応関係に格子点を表す印が付されている。
【００７５】
Ｓ２０４では、ＫＬｋＬＬｋインクのそれぞれについて、Ｘ座標順の第二格子点ＧＤ２で区切られる各区間７３０において第二格子点ＧＤ２に対応するＸ−Ｙ位置同士を線分７４０で結ぶ。図１３の下段には、インク毎の各区間７３０の線分７４０を破線で示している。第二格子点ＧＤ２に対応するＸ−Ｙ位置は、インクの対応関係に付された印の位置である。
【００７６】
Ｓ２０６では、ＫＬｋＬＬｋインクのそれぞれについて、最大近似誤差（図１４に示す距離ｄ１，ｄ２，ｄ３）となる第一格子点ＧＤ１を検索する。あるインクの最大近似誤差（ｄ１，ｄ２，ｄ３）は、Ｘ−Ｙ平面上の各第一格子点ＧＤ１、すなわち、ＲＧＢ色空間のグレー軸にある各第一格子点ＧＤ１に対応するＸ−Ｙ位置と、第一格子点ＧＤ１と同じ区間にある線分７４０と、の距離ｄを求めたとき、距離ｄの最大とする。図１４の上段には、Ｋインクについての最大近似誤差（距離ｄ１）が示されている。図１４の中段には、Ｌｋインクについての最大近似誤差（距離ｄ２）が示されている。図１４の下段には、ＬＬｋインクについての最大近似誤差（距離ｄ３）が示されている。
【００７７】
Ｓ２０８では、最大近似誤差（ｄ１，ｄ２，ｄ３）が最大（最大距離ｄmax）のインクの第一格子点ＧＤ１を第二格子点ＧＤ２に追加する。図１４に示す例ではｄ１＞ｄ２＞ｄ３であるので、ｄ１＝ｄmaxである。そこで、図１５の上段に示すように、Ｋインクの最大距離ｄmax＝ｄ１の第一格子点ＧＤ１のＸ座標を第二格子点ＧＤ２５（ＧＤ２）のＸ座標に決定する。決定したＸ座標は、一覧印刷用ＬＵＴ３２０の入力座標値Ｒｊの一つとなる。
【００７８】
Ｓ２１０では、第二格子点ＧＤ２の追加を終了するか否かを判断する。終了条件は、例えば、第二格子点ＧＤ２の数が最大（Ｎ２）となったこと、最大近似誤差（ｄ１，ｄ２，ｄ３）の最大値（最大距離ｄmax）が所定の閾値Ｔｄ内（ｄmax≦Ｔｄ）となったこと、等とすることができる。終了しない場合、ホスト装置１００は、Ｓ２０４〜Ｓ２１０の処理を繰り返す。
【００７９】
次のＳ２０４では、図１５の上段に示すように第二格子点ＧＤ２で区切られる区間７３０が一つ増えており、新たな各区間７３０において第二格子点ＧＤ２に対応するＸ−Ｙ位置同士を線分７４０で結ぶ。Ｓ２０６では、ＫＬｋＬＬｋインクのそれぞれについて、新たな線分７４０を用いて最大近似誤差（ｄ１，ｄ２，ｄ３）となる第一格子点ＧＤ１を検索する。図１４で示した例では距離ｄ１であったＫインクの第一格子点ＧＤ１が第二格子点ＧＤ２として追加されたので、今回のＳ２０６で求められるＬｋＬＬｋインクの距離ｄ２，ｄ３は前回と同じである一方、今回のＳ２０６で求められるＫインクの距離ｄ１は前回よりも小さくなる。Ｓ２０８では、新たな最大近似誤差（ｄ１，ｄ２，ｄ３）が最大（最大距離ｄmax）のインクの第一格子点ＧＤ１を第二格子点ＧＤ２に追加する。
【００８０】
Ｓ２０４〜Ｓ２１０の処理が繰り返され、第二格子点ＧＤ２の数が最大（Ｎ２）となるか、最大近似誤差の最大値（最大距離ｄmax）が閾値Ｔｄ内（ｄmax≦Ｔｄ）となると（Ｓ２１０）、ホスト装置１００は、格子点決定処理を終了させる。終了条件がｄmax≦Ｔｄである場合、ＲＧＢ色空間のグレー軸Ｒ＝Ｇ＝Ｂにある第一格子点ＧＤ１のうち線分７４０と同じ区間において線分７４０との距離ｄが最大である第一格子点ＧＤ１と、線分７４０と、の距離ｄmaxが所定の距離Ｔｄ内となるように第二格子点ＧＤ２が配置されることになる。
格子点決定処理が行われることにより、一覧印刷用ＬＵＴ３２０の第二格子点ＧＤ２の入力座標値Ｒｊが動的に決定される。
【００８１】
格子点決定処理の終了後、ホスト装置１００は、図７で示した係数テーブル３８０と中間ＬＵＴ３１２を用いて一覧印刷用ＬＵＴ３２０を生成する（Ｓ１１２）。一覧印刷用ＬＵＴ３２０の各領域（例えば図１０に示す領域Ｒ１〜Ｒ５）の出力座標値Ｃｊ，Ｍｊ，Ｙｊ，Ｋｊ，Ｌｋｊ，ＬＬｋｊは、係数テーブル３８０を参照して中間ＬＵＴ３１２から最終ＬＵＴ３１３を生成する方法と同様の方法に基づいて決定することができる。一覧印刷用ＬＵＴ３２０の（Ｇｊ，Ｂｊ）＝（０，０）の各領域の出力座標値については、領域に応じた係数Ａｃｔ，Ａｍｔ，Ａｙｔを中間ＬＵＴ３１２に適用することにより決定することができる。この場合、中間ＬＵＴ３１２からＮ２箇所の入力座標値Ｒ１ｉ＝Ｇ１ｉ＝Ｂ１ｉ＝Ｒｊに対応した出力座標値Ｃ１ｉ，Ｍ１ｉ，Ｙ１ｉ，Ｋ１ｉ，Ｌｋ１ｉ，ＬＬｋ１ｉ（階調数Ｇ１）を抽出し、出力座標値Ｃ１ｉ，Ｍ１ｉ，Ｙ１ｉには係数Ａｃｔ，Ａｍｔ，Ａｙｔを乗じ、係数適用後の出力座標値Ａｃｔ×Ｃ１ｉ，Ａｍｔ×Ｍ１ｉ，Ａｙｔ×Ｙ１ｉ，Ｋ１ｉ，Ｌｋ１ｉ，ＬＬｋ１ｉを階調数Ｇ２（Ｇ２＜Ｇ１）の出力座標値Ｃｊ，Ｍｊ，Ｙｊ，Ｋｊ，Ｌｋｊ，ＬＬｋｊにすればよい。得られる出力座標値Ｃｊ，Ｍｊ，Ｙｊ，Ｋｊ，Ｌｋｊ，ＬＬｋｊを入力座標値（Ｒｊ，Ｇｊ，Ｂｊ）＝（Ｒｊ，０，０）に対応付けると、一覧印刷用ＬＵＴ３２０が生成される。
【００８２】
Ｓ１１４では、図１で示したようにグレーの入力画像Ｄ１に基づいて元一覧画像Ｄ２を生成する。例えば、ホスト装置１００は、入力画像Ｄ１を縮小し、得られる縮小画像を各テスト画像Ｄ２ａの位置に並べ、マトリクス配置された各縮小画像のＧの階調値をａ*に対応した階調値に置き換え、各縮小画像のＢの階調値をｂ*に対応した階調値に置き換える。置き換えられるＧ，Ｂの階調値は、テスト画像Ｄ２ａの位置に応じた値とされる。図１では、テスト画像Ｄ２ｂの画素に階調値ｒ，ｇ１，ｂ１が格納され、別のテスト画像Ｄ２ｃの画素に階調値ｒ，ｇ２，ｂ２が格納されたことが示されている。例えば、元一覧画像Ｄ２の中心画像を生成する場合、図９に示す一覧印刷用ＬＵＴ３２０の領域Ｒ３の入力座標値（Ｒｊ，Ｇｊ，Ｂｊ）＝（Ｒｊ，１２８，１２８）に合わせてＧ，Ｂの画素値がいずれも１２８に置き換えられる。色変換後の画像の色度（ａ*，ｂ*）をともに調整範囲内で最小にするテスト画像Ｄ２ａを生成する場合、領域Ｒ１の入力座標値（Ｒｊ，Ｇｊ，Ｂｊ）＝（Ｒｊ，０，０）に合わせてＧ，Ｂの画素値がいずれも０に置き換えられる。色変換後の画像のａ*を調整範囲内で最小にしｂ*をともに調整範囲内で最小にするテスト画像Ｄ２ａを生成する場合、領域Ｒ２の入力座標値（Ｒｊ，Ｇｊ，Ｂｊ）＝（Ｒｊ，０，２５５）に合わせてＧの画素値が０に置き換えられＢの画素値が２５５に置き換えられる。
以上のようにして、色度（ａ*，ｂ*）が異なる画像Ｄ２ａの一覧である元一覧画像Ｄ２が生成される。
【００８３】
Ｓ１１６では、一覧印刷用ＬＵＴ３２０を参照して元一覧画像Ｄ２を色変換する。各テスト画像Ｄ２ａに格納されたＧ，Ｂの階調値の組合せは調整される色味に対応しているので、テスト画像Ｄ２ａ毎に一覧印刷用ＬＵＴ３２０の異なる領域が参照される。例えば、変換前のテスト画像Ｄ２ａに格納されている画素値（ｒ，１２８，１２８）は、図９に示す一覧印刷用ＬＵＴ３２０の領域Ｒ３が参照されて階調値Ｃｊ，Ｍｊ，Ｙｊ，Ｋｊ，Ｌｋｊ，ＬＬｋｊに変換される。ここで、一覧印刷用ＬＵＴ３２０のＲの入力座標値にＲの画素値ｒが無ければ、画素値ｒの近傍にある複数のＲの入力座標値に対応した出力座標値を用いた補間演算により変換後の階調値Ｃｊ，Ｍｊ，Ｙｊ，Ｋｊ，Ｌｋｊ，ＬＬｋｊを算出すればよい。前記補間演算は、１次元の補間演算でもよく、線形補間を行ってもよいし非線形補間を行ってもよい。
【００８４】
Ｓ１１８では、変換後の一覧画像Ｄ３をハーフトーン処理部１４３でハーフトーンデータに変換し、このハーフトーンデータをラスタライズ処理部１４４で並べ換え、生成されるラスタデータを含む印刷データを印刷装置１へ送信する。このようにして、一覧画像Ｄ３を印刷する制御が行われる。印刷データを受信した印刷装置１は、ラスタデータに対応した駆動信号ＳＧを駆動信号送信部４５で生成して駆動回路６２へ出力する。機構部５０は、駆動信号ＳＧに従って、図８に示すような一覧画像Ｄ３を被印刷物４１０に印刷する。一覧画像Ｄ３の各テスト画像Ｄ３ａには、ａ*に対応したパラメーターＸの値、及び、ｂ*に対応したパラメーターＹの値が付されている。
【００８５】
Ｓ１２０では、例えば、図１６に示すような操作画面１７４ａを表示装置１７４に表示し、入力装置１１５による出力画像Ｄ５の色味の調整量の入力を受け付ける。操作画面１７４ａには、パラメーターＸ，Ｙの座標を設定するためのＸ−Ｙ平面上のカラーサークル１７４ｂ、パラメーターＸの値を直接入力するためのＸ入力欄１７４ｃ、及び、パラメーターＹの値を直接入力するためのＹ入力欄１７４ｄが設けられている。尚、図１６に示すＸ−Ｙ平面は、図１３〜１５等で示したＸ−Ｙ平面とは異なる。ホスト装置１００は、ポインター１７４ｐを移動させるための操作を入力装置１１５で受け付け、サークル１７４ｂ内の座標が設定された場合には該座標に対応したパラメーターＸ，Ｙの値を算出して入力欄１７４ｃ，１７４ｄに表示する。ホスト装置１００は、入力欄１７４ｃ，１７４ｄに表示され、又は、入力されたパラメーターＸ，Ｙの値を取得する。従って、ユーザーは、印刷物４００の一覧画像Ｄ３の中から印刷したい色味のテスト画像Ｄ３ａに付されたパラメーターＸ，Ｙの値を入力装置１１５で入力することにより、印刷したい色味で本番の出力画像Ｄ５を印刷させることができる。
【００８６】
最終ＬＵＴ３１３を調整するために作成された一覧印刷用ＬＵＴ３２０は、ＲＧＢ色空間のグレー軸において第二格子点ＧＤ２の数Ｎ２が最終ＬＵＴ３１３の第一格子点ＧＤ１の数Ｎ１よりも少なく、インク使用量の階調数Ｇ２が最終ＬＵＴ３１３のインク使用量の階調数Ｇ１よりも少ない。このため、一覧印刷用ＬＵＴ３２０をそのまま本番印刷用ＬＵＴ３１０にすることはできない。そこで、Ｓ１２２では、入力を受け付けた調整量（パラメーターＸ，Ｙの値）に基づいて中間ＬＵＴ３１２を調整して最終ＬＵＴ３１３をＲＡＭ１１３に生成する。
【００８７】
最終ＬＵＴ３１３は、図７で示した係数テーブル３８０を参照して生成することができる。例えば、テスト画像ｔに相当するＸ＝Ｘｔ且つＹ＝Ｙｔが設定された場合、
（Ci，Mi，Yi，Ki，Lki，LLki）
＝（Act’×C1i，Amt’×M1i，Ayt’×Y1i，K1i，Lk1i，LLk1i）
により最終ＬＵＴ３１３の出力座標値Ｃｉ，Ｍｉ，Ｙｉ，Ｋｉ，Ｌｋｉ，ＬＬｋｉを求めることができる。また、Ｘ＝Ｘｔ且つＹ＝Ｙｔに一致する係数が係数テーブル３８０に格納されていない場合、Ｘ＝Ｘｔ且つＹ＝Ｙｔの近傍にある複数組のパラメーター値に対応した係数を補間演算により算出し、得られた係数を用いて出力座標値を求めてもよい。この場合、例えば、図１６に示す場合のＸ−Ｙ平面上においてパラメーター値Ｘ１，Ｙ１とパラメーター値Ｘ２，Ｙ２との距離に対するパラメーター値Ｘ１，Ｙ１とパラメーター値Ｘｔ，Ｙｔとの距離の比を重みα（０≦α≦１）で表すと、
Ｃｉ＝｛（１−α）×Ａｃ１＋α×Ａｃ２｝×Ｃ１ｉ
Ｍｉ＝｛（１−α）×Ａｍ１＋α×Ａｍ２｝×Ｍ１ｉ
Ｙｉ＝｛（１−α）×Ａｙ１＋α×Ａｙ２｝×Ｙ１ｉ
Ｋｉ＝Ｋ１ｉ
Ｌｋｉ＝Ｌｋ１ｉ
ＬＬｋｉ＝ＬＬｋ１ｉ
により出力座標値Ｃｉ，Ｍｉ，Ｙｉ，Ｋｉ，Ｌｋｉ，ＬＬｋｉを求めることができる。むろん、補間演算は、非線形補間等でもよい。
【００８８】
Ｓ１２４では、色変換部１４２において、上記最終ＬＵＴ３１３を参照してＲＧＢ色空間の入力画像Ｄ１を色変換する。これにより、入力座標値Ｒｉ＝Ｇｉ＝Ｂｉが出力座標値Ｃｉ，Ｍｉ，Ｙｉ，Ｋｉ，Ｌｋｉ，ＬＬｋｉに変換され、入力画像Ｄ１の各画素の階調値ｒ＝ｇ＝ｂがＣＭＹＫＬｋＬＬｋの階調値に変換される。
【００８９】
Ｓ１２６では、色変換後の画像をハーフトーン処理部１４３でハーフトーンデータに変換し、このハーフトーンデータをラスタライズ処理部１４４で並べ換え、生成されるラスタデータを含む印刷データを印刷装置１へ送信する。印刷データを受信した印刷装置１は、ラスタデータに対応した駆動信号ＳＧを駆動信号送信部４５で生成して駆動回路６２へ出力する。機構部５０は、駆動信号ＳＧに従って、図１に示すように出力画像Ｄ５を被印刷物４１０に形成する。
【００９０】
以上説明したように、本番印刷用ＬＵＴ３１０を調整するため被印刷物４１０に印刷される一覧画像Ｄ３は、本番印刷用ＬＵＴ３１０とは異なる構造の一覧印刷用ＬＵＴ３２０を参照した色変換後の一覧画像に基づいて形成される。本具体例の一覧印刷用ＬＵＴ３２０は、入力色空間の座標軸に沿った格子点の数Ｎ２が本番印刷用ＬＵＴ３１０における格子点数Ｎ１よりも少なく、インク使用量の階調数Ｇ２が本番印刷用ＬＵＴ３１０におけるインク使用量の階調数Ｇ１よりも少ない。従って、本技術は、一覧印刷の制御処理に必要なメモリーサイズを少なくすることが可能となる。
【００９１】
また、Ｓ１１０の格子点決定処理により、ＲＧＢ色空間のグレー軸において本番印刷用ＬＵＴ３１０に規定されたインク使用量が最大となる位置に少なくとも第二格子点ＧＤ２が配置されて一覧印刷用ＬＵＴ３２０が生成される。本番印刷用ＬＵＴ３１０の第一格子点ＧＤ１に存在する最大のインク使用量が一覧印刷用ＬＵＴの第二格子点に存在し、この一覧印刷用ＬＵＴ３２０が参照されて本番印刷用ＬＵＴ調整用の一覧画像Ｄ３が印刷されるので、図５（ｂ）を参照して説明したように第二格子点ＧＤ２がピーク位置からずれることによる色変換の精度の低下が抑制される。従って、本具体例は、一覧印刷画像（一覧画像Ｄ３）と本番印刷画像（出力画像Ｄ５）とに色の差が生じ難くなり、印刷される一覧画像の画質を向上させることが可能となる。
【００９２】
（４）変形例：
本発明は、種々の変形例が考えられる。
例えば、ＬＵＴの入力色空間は、ＲＧＢ色空間以外にも、ＣＭＹ色空間、４次元のＣＭＹＫ色空間、等でもよい。出力座標値に規定する色材は、ＣＭＹＫＬｋＬＬｋ以外にも、Ｌｃ（ライトシアン）、Ｌｍ（ライトマゼンタ）、Ｄｙ（ダークイエロー）、Ｏｒ（オレンジ）、Ｇｒ（グリーン）、Ｂ（ブルー）、Ｖ（バイオレット）、画質向上用の無着色の色材、等が含まれてもよい。ここで、ＬｃはＣよりも低濃度のシアンであり、ＬｍはＭよりも低濃度のマゼンタであり、ＤｙはＹよりも高濃度のイエローである。Ｌｃ及びＬｍを使用する場合、最終ＬＵＴを生成するために使用する係数は、中間ＬＵＴにおけるＬｃ，Ｌｍ，Ｙの出力座標値に乗じる係数でもよい。また、ＣＭＹＫＬｋＬＬｋの一部の色材が無い場合も、本技術に含まれる。
【００９３】
一覧印刷用ＬＵＴは、３次元のＬＵＴ以外にも、色味に応じて分けられた１次元のＬＵＴ等でもよい。
一覧印刷用ＬＵＴにおいて入力色空間を構成する明度成分は、Ｒの入力座標値に対応させる以外にも、Ｇ又はＢの入力座標値に対応させてもよい。むろん、他の成分と重複しない限り、ａ*成分をＲ又はＢの入力座標値に対応させてもよいし、ｂ*成分をＲ又はＧの入力座標値に対応させてもよい。
図１１のＳ１１０の格子点決定処理は、Ramer-Douglas-Peuckerのアルゴリズム以外のアルゴリズムに従って第二格子点ＧＤ２の配置を決定する処理でもよい。
本技術には、図１１のＳ１０２の判断処理を行わずにＳ１０６〜Ｓ１２６のモノクロ画像の印刷制御処理を行う技術も含まれる。
また、本技術には、一覧画像を印刷する制御を行う技術以外にも、色変換後の一覧画像を表示する技術（画像形成装置、画像形成方法、等）も含まれる。
【００９４】
さらに、中間ＬＵＴを複数設け、これらの中間ＬＵＴから選択された中間ＬＵＴを最終ＬＵＴとして本番印刷を行ってもよい。この場合、使用される中間ＬＵＴと最終ＬＵＴとが同じであることを意味する。
【００９５】
例えば、図４で示した明るさ調整部Ｕ１により補正された中間ＬＵＴを明るさ調整情報８１０に含まれる情報８１２，８１３，８１４等の特性のそれぞれに対応して用意することにする。この場合、図７で示した係数テーブル３８０が無くても、もっと言えば、中間ＬＵＴから最終ＬＵＴを生成する処理を行わなくても、明るさ調整情報８１２，８１３，８１４等の特性のうち最適な特性の選択をユーザーから受け付けて該最適な特性に対応する中間ＬＵＴを最終ＬＵＴとして使用して最終印刷を行うことができる。また、この場合の一覧印刷画像（Ｄ３）に含まれるテスト画像（Ｄ３ａ）は、係数テーブル３８０を使用することにより形成されるものではなく、もっと言えば、色度を異ならせたものではなく、明るさの特性を異ならせたものでもよい。図８で示したような一覧画像Ｄ３は、例えば、明度調整情報８１２の特性に従って変換されたテスト画像、コントラスト調整情報８１３の特性に従って変換されたテスト画像、コントラスト調整情報８１４の特性に従って変換されたテスト画像、等が並べられてもよい。このような一覧画像Ｄ３からユーザーが最適と考えるテスト画像Ｄ３ａを選択して該テスト画像Ｄ３ａに対応する中間ＬＵＴを最終ＬＵＴとして本番印刷を行うと、明るさの最適な特性に従って変換された所望の出力画像の印刷物を得ることができる。
【００９６】
上述した処理は、印刷装置で行われてもよい。図１７は、印刷装置１が行う印刷制御処理の例を示している。この処理は、プログラムＰＲＧ２に従って印刷装置１のコントローラー１０が主体となって行う。印刷制御処理は、電気回路により実現されてもよいし、プログラムにより実現されてもよい。
例えば、メモリーカード９０に記録された画像が操作パネル７３で選択操作されると、印刷装置１は、選択された画像をＲＡＭ２０に格納し、印刷制御処理を開始させる。また、印刷装置１は、ホスト装置１００から画像及び印刷指示を受信してＲＡＭ２０に格納した時に印刷制御処理を開始させてもよい。
【００９７】
印刷制御処理が開始されると、コントローラー１０は、印刷方法に従って処理を分岐させる（Ｓ３０２）。例えば、操作パネル７３でカラー印刷が設定される等、画像をカラー印刷する場合、印刷装置１は、図示しないカラー印刷用のＬＵＴを参照して入力画像を色変換し、変換後の画像を印刷する制御を行う。操作パネル７３でモノクロ印刷が設定される等、画像をモノクロ印刷する場合、画像がカラー画像であるかモノクロ画像であるかに応じて処理が分かれる。カラー画像をモノクロ印刷する場合、コントローラー１０は、カラー画像をグレー画像に変換し（Ｓ３０４）、処理をＳ３０６に進める。
【００９８】
Ｓ３０６では、図４で示した明るさ調整情報８１０を選択するための明るさ調整画面を操作パネル７３の出力部７４に表示し、入力部７５による明るさ調整情報８１０の選択操作を受け付け、選択された明るさ調整情報８１０をＲＡＭ２０に読み出す。Ｓ３０８では、図６で示したように、ＲＡＭ１１３に読み出した明るさ調整情報８１０に基づいて明るさ調整前の元ＬＵＴ３１１のデータを補正し、中間ＬＵＴ３１２を生成する。Ｓ３１０では、図１２〜１５で示したように、ＲＧＢ色空間のグレー軸Ｒ＝Ｇ＝Ｂにおける一覧印刷用ＬＵＴ３２０の第二格子点ＧＤ２の位置（入力座標値Ｒｊ）を決定する格子点決定処理を行う。Ｓ３１２では、図７で示した係数テーブル３８０と中間ＬＵＴ３１２を用いて一覧印刷用ＬＵＴ３２０を生成する。
【００９９】
Ｓ３１４では、図１で示したようにグレーの入力画像Ｄ１に基づいて元一覧画像Ｄ２を生成する。Ｓ３１６では、図９で示したような一覧印刷用ＬＵＴ３２０を参照して元一覧画像Ｄ２を色変換する。Ｓ３１８では、変換後の一覧画像Ｄ３をハーフトーン処理部４３でハーフトーンデータに変換し、このハーフトーンデータをラスタライズ処理部４４で並べ換え、生成されるラスタデータに対応した駆動信号ＳＧを駆動信号送信部４５で生成して駆動回路６２へ出力する。このようにして、一覧画像Ｄ３を印刷する制御が行われる。機構部５０は、駆動信号ＳＧに従って、図８に示すような一覧画像Ｄ３を被印刷物４１０に印刷する。
【０１００】
Ｓ３２０では、図１８に示すような操作画面７４ａを出力部７４に表示し、操作パネル７３で出力画像Ｄ５の色味の調整量の入力を受け付ける。操作画面７４ａには、パラメーターＸの値を設定するためのスライダー７４ｂ、及び、パラメーターＹの値を設定するためのスライダー７４ｃが設けられている。パラメーターＸ，Ｙの値は、色味の調整量に相当する。印刷装置１は、スライダー７４ｂ，７４ｃの位置を設定するキー操作を入力部７５で受け付け、設定された位置に対応したパラメーターＸ，Ｙの値を取得する。
【０１０１】
Ｓ３２２では、入力を受け付けた調整量（パラメーターＸ，Ｙの値）に基づいて中間ＬＵＴ３１２を調整して最終ＬＵＴ３１３をＲＡＭ２０に生成する。ここでも、最終ＬＵＴ３１３は、図７で示した係数テーブル３８０を参照して生成することができる。Ｓ３２４では、色変換部４２において、最終ＬＵＴ３１３を参照してＲＧＢ色空間の入力画像Ｄ１を色変換する。Ｓ３２６では、色変換後の画像をハーフトーン処理部４３でハーフトーンデータに変換し、このハーフトーンデータをラスタライズ処理部４４で並べ換え、生成されるラスタデータに対応した駆動信号ＳＧを駆動回路６２へ出力する。機構部５０は、駆動信号ＳＧに従って、図１に示すように出力画像Ｄ５を被印刷物４１０に形成する。
【０１０２】
本変形例も、Ｓ３１０の格子点決定処理により、ＲＧＢ色空間のグレー軸において本番印刷用ＬＵＴ３１０に規定されたインク使用量が最大となる位置に少なくとも第二格子点ＧＤ２が配置されて一覧印刷用ＬＵＴ３２０が生成される。本番印刷用ＬＵＴ３１０の第一格子点ＧＤ１に存在する最大のインク使用量が一覧印刷用ＬＵＴの第二格子点に存在し、この一覧印刷用ＬＵＴ３２０が参照されて本番印刷用ＬＵＴ調整用の一覧画像Ｄ３が印刷されるので、一覧印刷画像（一覧画像Ｄ３）と本番印刷画像（出力画像Ｄ５）とに色の差が生じ難くなり、印刷される一覧画像の画質を向上させることが可能となる。
【０１０３】
（５）結び：
以上説明したように、本発明によると、種々の態様により、印刷される一覧画像の画質を向上させることが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【０１０４】
１…印刷装置、１０…コントローラー、５０…機構部、６１…ヘッド、６６…インク（色材）、７３…操作パネル、７４…出力部、７５…入力部、１００…ホスト装置、１７４…表示装置、３１０…ＬＵＴ（色変換テーブル）、３１１…元ＬＵＴ（明るさ調整前の色変換テーブル）、３１２…中間ＬＵＴ（色味調整前の色変換テーブル）、３１３…最終ＬＵＴ（色味調整後の色変換テーブル）、３２０…一覧印刷用ＬＵＴ（一覧用色変換テーブル）、３２１…明度成分、３２２…色味成分、３８０…係数テーブル、４００…印刷物、４１０…被印刷物、７１０，７２０…Ｋインクの最大使用量の位置、７１１，７２１…Ｌｋインクの最大使用量の位置、７１２，７２２…ＬＬｋインクの最大使用量の位置、７１３，７２３…色材の使用量を近似する線分、７３０…区間、７４０…線分、８１０，８２０…明るさ調整情報、８１２…明度調整情報、８１３，８１４…コントラスト調整情報、Ａ０，Ａ１…範囲、Ｄ１…入力画像、Ｄ２…元一覧画像、Ｄ３…一覧画像、Ｄ５…出力画像、Ｄ２ａ，Ｄ３ａ…画像、ＧＤ１…第一格子点、ＧＤ２…第二格子点、Ｒ１〜Ｒ５…領域、Ｕ０…印刷制御装置、Ｕ１…明るさ調整部、Ｕ２…一覧用色変換テーブル生成部、Ｕ３…一覧印刷制御部、Ｕ４…一覧画像形成部、Ｕ５…色味調整部。
【図１】
2016178471.tif 000003
【図２】
2016178471.tif 000004
【図３】
2016178471.tif 000005
【図４】
2016178471.tif 000006
【図５】
2016178471.tif 000007
【図６】
2016178471.tif 000008
【図７】
2016178471.tif 000009
【図８】
2016178471.tif 000010
【図９】
2016178471.tif 000011
【図１０】
2016178471.tif 000012
【図１１】
2016178471.tif 000013
【図１２】
2016178471.tif 000014
【図１３】
2016178471.tif 000015
【図１４】
2016178471.tif 000016
【図１５】
2016178471.tif 000017
【図１６】
2016178471.tif 000018
【図１７】
2016178471.tif 000019
【図１８】
2016178471.tif 000020